(57)【要約】  とりわけ、本明細書における方法および装置の例は、ワイヤレス通信ネットワーク（２０）が接続モードのワイヤレスデバイス（５０）に対して「セル」を規定しないビームベースのシステムにおいてワイヤレスデバイス（５０）がソース同期を達成する必要に関して生じる問題に対する解決策を提供する。この問題は、ワイヤレスデバイスが、ネットワーク（２０）内で送信ポイント（３０）からの自己完結型送信に主に依存するビームベースのシステムにおいてそのソースアクセスノードとどのように再同期することができるかに関する。１つの例示的な利点として、企図される方法および装置は、何のデータ送信もスケジュールされていないときですら、ワイヤレスデバイス（５０）がモビリティ手順をサポートするための測定を実行することを可能にする。【選択図】図５Ｂ
2019526968.tif 000002
【特許請求の範囲】
【請求項１】
ワイヤレス通信ネットワーク（２０）内で動作するように設定された送信ポイント（３０）によって実装される方法（７００）であって、
各同期信号がアンテナビームフォーミングにおいて前記送信ポイント（３０）によって使用される２つ以上のビームのうちのそれぞれ１つのビームに対応するように、ビーム固有ベースで２つ以上の同期信号を前記送信ポイント（３０）から送信すること（７０４）
を含み、
前記同期信号が、前記送信ポイント（３０）との同期を得るかまたは維持するための、ワイヤレスデバイス（５０）による同期測定のための参照として働く、方法（７００）。
【請求項２】
前記ワイヤレスデバイスが同期信号のセットに属するとして前記２つ以上の同期信号を判定することを可能にするための情報を前記送信ポイント（３０）から送信することをさらに含む、請求項１に記載の方法（７００）。
【請求項３】
前記２つ以上の指向性ビームを使用してダウンリンク信号を送信することをさらに含む、請求項１または２に記載の方法（７００）。
【請求項４】
前記２つ以上の同期信号を生成すること（７０２）であって、含まれた情報または信号属性の点で前記２つ以上の同期信号を区別し、それにより、受信側ワイヤレスデバイス（５０）が前記２つ以上の同期信号を区別することを可能にすることを含む、生成すること（７０２）をさらに含む、請求項１から３のいずれか一項に記載の方法（７００）。
【請求項５】
前記２つ以上の同期信号が、モビリティ参照信号（ＭＲＳ）のセットを含み、各ＭＲＳが、時間同期信号（ＴＳＳ）とビーム参照信号（ＢＲＳ）とを含み、各ＢＲＳが、ＭＲＳの前記セット内で一意であり、さらに、各ＭＲＳが、アンテナビームフォーミングにおいて前記送信ポイント（３０）によって使用される前記２つ以上の指向性ビームのうちの異なる指向性ビームに関連付けられている、請求項１から４のいずれか一項に記載の方法（７００）。
【請求項６】
ビーム掃引パターンに従って前記２つ以上の同期信号を送信することをさらに含む、請求項１から５のいずれか一項に記載の方法（７００）。
【請求項７】
前記送信ポイント（３０）と前記対応する指向性ビームのカバレッジエリア内で動作している１つまたは複数のワイヤレスデバイス（５０）との間の無線リンク状態、および
前記対応する指向性ビームの前記カバレッジエリア内で動作している、１つまたは複数のワイヤレスデバイス（５０）の監視された同期品質
のうちの少なくとも１つに応じて、前記対応する指向性ビームに対して少なくとも１つの同期信号の前記送信を適応させることをさらに含む、請求項１から６のいずれか一項に記載の方法（７００）。
【請求項８】
生成され送信されることになる前記２つ以上の同期信号を指定するシグナリングを前記ワイヤレス通信ネットワーク（２０）内の別のノード（２２）から受信することをさらに含む、請求項１から７のいずれか一項に記載の方法（７００）。
【請求項９】
前記指向性ビームのうちの１つまたは複数に対して、前記対応する同期信号を送信するためにどのダウンリンクリソースを使用するかを前記送信ポイント（３０）において動的に判定することをさらに含む、請求項１から８のいずれか一項に記載の方法（７００）。
【請求項１０】
前記送信ポイント（３０）から支援情報を送信することをさらに含み、前記支援情報が、前記２つ以上の同期信号を識別するか、またはさもなければ、ワイヤレスデバイス（５０）が前記２つ以上の同期信号を検出または識別するために必要な情報を提供する、請求項１から９のいずれか一項に記載の方法（７００）。
【請求項１１】
前記送信ポイント（３０）が各指向性ビームに対して異なる同期信号を送信するように、アンテナビームフォーミングにおいて前記送信ポイント（３０）によって使用される指向性ビームの数を動的に変更し、対応して、前記送信ポイント（３０）によって使用中の同期信号の数を変更することをさらに含む、請求項１から１０のいずれか一項に記載の方法（７００）。
【請求項１２】
ワイヤレス通信ネットワーク（２０）内で動作するように設定された送信ポイント（３０）であって、
トランシーバ回路（３６）と、
各同期信号がアンテナビームフォーミングにおいて前記送信ポイント（３０）によって使用される２つ以上の指向性ビームのうちのそれぞれ１つの指向性ビームに対応するように、前記トランシーバ回路（３６）を介して、ビーム固有ベースで２つ以上の同期信号を前記送信ポイント（３０）から送信する
ように動作可能な処理回路（３２）と
を含み、
前記同期信号が、前記送信ポイント（３０）との同期を得るかまたは維持するための、ワイヤレスデバイス（５０）による同期測定のための参照として働く、送信ポイント（３０）。
【請求項１３】
前記処理回路（３２）が、前記ワイヤレスデバイスが同期信号のセットに属するとして前記２つ以上の同期信号を判定することを可能にするための情報を前記送信ポイント（３０）から送信するように設定された、請求項１２に記載の送信ポイント（３０）。
【請求項１４】
前記処理回路（３２）が、前記２つ以上の指向性ビームを使用してダウンリンク信号を送信するように設定された、請求項１２または１３に記載の送信ポイント（３０）。
【請求項１５】
前記処理回路（３２）が、含まれた情報または信号属性の点で前記２つ以上の同期信号を区別し、それにより、受信側ワイヤレスデバイス（５０）が前記２つ以上の同期信号を区別することを可能にするように設定された、請求項１２から１４のいずれか一項に記載の送信ポイント（３０）。
【請求項１６】
前記２つ以上の同期信号が、モビリティ参照信号（ＭＲＳ）のセットを含み、各ＭＲＳが、時間同期信号（ＴＳＳ）とビーム参照信号（ＢＲＳ）とを含み、各ＢＲＳが、ＭＲＳの前記セット内で一意であり、さらに、各ＭＲＳが、アンテナビームフォーミングにおいて前記送信ポイント（３０）によって使用される前記２つ以上の指向性ビームのうちの異なる指向性ビームに関連付けられている、請求項１２から１５のいずれか一項に記載の送信ポイント（３０）。
【請求項１７】
前記処理回路（３２）が、ビーム掃引パターンに従って前記２つ以上の同期信号を送信するように設定された、請求項１２から１６のいずれか一項に記載の送信ポイント（３０）。
【請求項１８】
前記処理回路（３２）が、
前記送信ポイント（３０）と前記対応する指向性ビームのカバレッジエリア内で動作している１つまたは複数のワイヤレスデバイス（５０）との間の無線リンク状態、および
前記対応する指向性ビームの前記カバレッジエリア内で動作している、１つまたは複数のワイヤレスデバイス（５０）の監視された同期品質
のうちの少なくとも１つに応じて、前記対応する指向性ビームに対して少なくとも１つの同期信号の前記送信を適応させるように設定された、請求項１２から１７のいずれか一項に記載の送信ポイント（３０）。
【請求項１９】
前記処理回路（３２）が、生成され送信されることになる前記２つ以上の同期信号を指定するシグナリングを前記ワイヤレス通信ネットワーク（２０）内の別のノード（２２）から受信するように設定された、請求項１２から１８のいずれか一項に記載の送信ポイント（３０）。
【請求項２０】
前記指向性ビームのうちの１つまたは複数に対して、前記処理回路（３２）が、前記対応する同期信号を送信するためにどのダウンリンクリソースを使用するかを動的に判定するように設定された、請求項１３から１９のいずれか一項に記載の送信ポイント（３０）。
【請求項２１】
前記処理回路（３２）が、前記送信ポイント（３０）が各指向性ビームに対して異なる同期信号を送信するように、アンテナビームフォーミングにおいて前記送信ポイント（３０）によって使用される指向性ビームの数を動的に変更し、対応して、前記送信ポイント（３０）によって使用される同期信号の数を変更するように設定された、請求項１４から２０のいずれか一項に記載の送信ポイント（３０）。
【請求項２２】
ワイヤレス通信ネットワーク（２０）内で動作するように設定されたワイヤレスデバイス（５０）による動作の方法（９００）であって、
前記ワイヤレス通信ネットワーク（２０）内で送信ポイント（３０）によって使用される同期信号のセットを判定すること（９０２）と、
前記セット内の前記同期信号のうちの検出された同期信号に基づいて、前記２つ以上の指向性ビームに対応するカバレッジエリア間の移動に関連して、前記送信ポイント（３０）との同期を維持すること（９０４）と
を含む、方法（９００）。
【請求項２３】
同期信号の前記セットを前記判定すること（９０２）が、同期信号の前記セットを識別するか、または前記ワイヤレスデバイス（５０）が同期信号の前記セットを識別することを可能にする情報を提供する支援情報を受信することを含む、請求項２２に記載の方法（９００）。
【請求項２４】
前記送信ポイント（３０）が、前記ワイヤレス通信ネットワーク（２０）内の近隣の第１および第２の送信ポイント（３０−１、３０−２）のうちの第１の送信ポイントを含み、前記方法（９００）が、前記第２の送信ポイント（３０−２）に関連付けられていると判定されるセットを含む１つまたは複数の同期信号を検出することと、前記第２の送信ポイント（３０−２）から検出された１つまたは複数の同期信号に関して前記ワイヤレスデバイス（５０）によって判定された無線品質が前記第１の送信ポイント（３０−１）からのいずれかの検出された同期信号に関して前記ワイヤレスデバイス（５０）によって判定された無線品質よりも高いとの判定に基づいて、前記ワイヤレスデバイス（５０）に対する前記同期ソースとして前記第１の送信ポイント（３０−１）を使用することから前記ワイヤレスデバイス（５０）に対する前記同期ソースとして前記第２の送信ポイント（３０−２）を使用することに変更することとをさらに含む、請求項２２または２３に記載の方法（９００）。
【請求項２５】
前記ワイヤレス通信ネットワーク（２０）からの情報の受信に基づいて、前記対応する指向性ビームに対して各同期信号を送信するために使用される前記ダウンリンクリソースを判定することをさらに含む、請求項２２から２４のいずれか一項に記載の方法（９００）。
【請求項２６】
同期信号の前記セットが、モビリティ参照信号（ＭＲＳ）のセットを含み、各ＭＲＳが、時間同期信号（ＴＳＳ）とビーム参照信号（ＢＲＳ）とを含み、各ＢＲＳが、ＭＲＳの前記セット内で一意であり、さらに、各ＭＲＳが、アンテナビームフォーミングにおいて前記送信ポイント（３０）によって使用される前記２つ以上の指向性ビームのうちの異なる指向性ビームに関連付けられている、請求項２２から２５のいずれか一項に記載の方法（９００）。
【請求項２７】
前記送信ポイント（３０）との同期を前記維持すること（９０４）が、同期信号の前記セット内の前記同期信号のうちの２つ以上が前記ワイヤレスデバイス（５０）によって検出された場合、前記送信ポイント（３０）との同期を維持する際に使用するための、前記２つ以上の検出された同期信号のうちの最強のまたは最高品質の同期信号を選択することを含む、請求項２２から２６のいずれか一項に記載の方法（９００）。
【請求項２８】
ワイヤレス通信ネットワーク（２０）内で動作するように設定されたワイヤレスデバイス（５０）であって、
前記ワイヤレス通信ネットワーク（２０）内で送信ポイント（３０）から信号を受信するためのトランシーバ回路（５６）と、
前記トランシーバ回路（５６）に動作可能に関連付けられ、
送信ポイント（３０）によって使用される同期信号のセットを判定し、
前記セット内の前記同期信号のうちの検出された同期信号との動的な同期または再同期に基づいて、前記２つ以上の指向性ビームに対応するカバレッジエリア間の移動に関連して、前記送信ポイント（３０）との同期を維持する
ように設定された処理回路（５２）と
を含む、ワイヤレスデバイス（５０）。
【請求項２９】
前記処理回路（５２）が、同期信号の前記セットを識別するか、または前記ワイヤレスデバイス（５０）が同期信号の前記セットを識別することを可能にする情報を提供する支援情報の受信に基づいて同期信号の前記セットを判定するように設定された、請求項２８に記載のワイヤレスデバイス（５０）。
【請求項３０】
前記送信ポイント（３０）が、前記ワイヤレス通信ネットワーク（２０）内の近隣の第１および第２の送信ポイント（３０−１、３０−２）のうちの第１の送信ポイントを含み、前記処理回路（５２）が、前記第２の送信ポイント（３０−２）に関連付けられていると判定されるセットを含む１つまたは複数の同期信号を検出し、前記第２の送信ポイント（３０−２）から検出された１つまたは複数の同期信号に関して前記ワイヤレスデバイス（５０）によって判定された無線品質が前記第１の送信ポイント（３０−１）からのいずれかの検出された同期信号に関して前記ワイヤレスデバイス（５０）によって判定された無線品質よりも高いとの判定に基づいて、前記ワイヤレスデバイス（５０）に対する前記同期ソースとして前記第１の送信ポイント（３０−１）を使用することから前記ワイヤレスデバイス（５０）に対する前記同期ソースとして前記第２の送信ポイント（３０−２）を使用することに変更するように設定された、請求項２８または２９に記載のワイヤレスデバイス（５０）。
【請求項３１】
前記処理回路（５２）が、前記ワイヤレス通信ネットワーク（２０）からの情報の受信に基づいて、前記対応する指向性ビームに対して各同期信号を送信するために使用される前記ダウンリンクリソースを判定するように設定された、請求項２８から３０のいずれか一項に記載のワイヤレスデバイス（５０）。
【請求項３２】
同期信号の前記セットが、モビリティ参照信号（ＭＲＳ）のセットを含み、各ＭＲＳが、時間同期信号（ＴＳＳ）とビーム参照信号（ＢＲＳ）とを含み、各ＢＲＳが、ＭＲＳの前記セット内で一意であり、さらに、各ＭＲＳが、アンテナビームフォーミングにおいて前記送信ポイント（３０）によって使用される前記２つ以上の指向性ビームのうちの異なる指向性ビームに関連付けられている、請求項２８から３１のいずれか一項に記載のワイヤレスデバイス（５０）。
【請求項３３】
同期信号の前記セット内の前記同期信号のうちの２つ以上が前記ワイヤレスデバイス（５０）によって検出された場合、前記処理回路（５２）が、前記送信ポイント（３０）との同期を維持する際に使用するための、前記２つ以上の検出された同期信号のうちの最強のまたは最高品質の同期信号を選択するように設定された、請求項２８から３２のいずれか一項に記載のワイヤレスデバイス（５０）。
【請求項３４】
コンピュータ命令を含むコンピュータプログラム製品（４６）であって、前記コンピュータ命令が、ワイヤレス通信ネットワーク（２０）内で動作するように設定された送信ポイント（３０）の少なくとも１つの処理回路（３２、４２）上で実行されると、前記送信ポイント（３０）に、
各同期信号がアンテナビームフォーミングにおいて前記送信ポイント（３０）によって使用される２つ以上の指向性ビームのうちのそれぞれ１つの指向性ビームに対応するように、ビーム固有ベースで２つ以上の同期信号を前記送信ポイント（３０）から送信させ、
前記同期信号が、前記送信ポイント（３０）との同期を得るかまたは維持するための、ワイヤレスデバイス（５０）による同期測定のための参照として働く、コンピュータプログラム製品（４６）。
【請求項３５】
コンピュータ命令を含むコンピュータプログラム（６６）製品であって、前記コンピュータ命令が、ワイヤレス通信ネットワーク（２０）内で動作するように設定されたワイヤレスデバイス（５０）の少なくとも１つの処理回路（５２、６２）上で実行されると、前記ワイヤレスデバイス（５０）に、
送信ポイント（３０）によって使用される同期信号のセットを判定させ、
前記セット内の前記同期信号のうちの検出された同期信号との動的な同期または再同期に基づいて、前記２つ以上の指向性ビームに対応するカバレッジエリア間の移動に関連して、前記ワイヤレス通信ネットワーク（２０）との同期を維持させる、コンピュータプログラム（６６）製品。
【請求項３６】
ワイヤレス通信ネットワーク（２０）内で動作するように設定された送信ポイント（３０）であって、
送信モジュール（１２０２）と、
各同期信号がアンテナビームフォーミングにおいて前記送信ポイント（３０）によって使用される２つ以上の指向性ビームのうちのそれぞれ１つの指向性ビームに対応するように、前記送信モジュール（１２０２）を介して、ビーム固有ベースで２つ以上の同期信号を前記送信ポイント（３０）から送信する
ように設定された処理モジュール（１２０４）と
を含み、
前記同期信号が、前記送信ポイント（３０）との同期を得るかまたは維持するための、ワイヤレスデバイス（５０）による同期測定のための参照として働く、送信ポイント（３０）。
【請求項３７】
ワイヤレス通信ネットワーク（２０）内で動作するように設定されたワイヤレスデバイス（５０）であって、
前記ワイヤレス通信ネットワーク（２０）内で送信ポイント（３０）から信号を受信するように設定された受信モジュール（１３０２）と、
前記送信ポイント（３０）によって使用される同期信号のセットを判定し、
前記セット内の前記同期信号のうちの検出された同期信号と動的に同期することまたは再同期することによって、前記２つ以上の指向性ビームに対応するカバレッジエリア間の移動に関連して、前記送信ポイント（３０）との同期を維持する
ように設定された処理モジュール（１３０４）と
を含む、ワイヤレスデバイス（５０）。
【発明の詳細な説明】
【技術分野】
【０００１】
本発明は、ワイヤレス通信ネットワークなどの通信システムに関し、詳細には、ビームベースの通信システムにおける無線リソース管理測定およびワイヤレスデバイスの同期に関する。
【背景技術】
【０００２】
ロングタームエボリューション（ＬＴＥ）では、ユーザ機器（ＵＥ）は、周波数および時間同期など、セルの１つまたは複数の送信ポイント（ＴＰ）との同期を得ることができる。一例では、時間同期は、シンボルおよびフレーム同期に関連付けられる。ＬＴＥシステムにおける周波数および時間同期に対する３つの要件は、シンボルおよびフレームタイミングと、周波数同期と、サンプリングクロック同期とを含む。シンボルおよびフレームタイミング獲得は、正確なシンボル開始位置の判定に関連付けられる。たとえば、シンボルおよびフレームタイミングは、離散フーリエ変換（ＤＦＴ）窓位置をセットするために使用される。周波数同期は、送信機と受信機との間の局部発振器の不整合から生じる周波数誤差、ならびに何らかのＵＥ運動から生じるドップラーシフトの影響を低減または除去することが要求される。
【０００３】
同期のために使用される信号シーケンスは、サイクリックプレフィックス（ＣＰ）長、物理セル識別情報（ＰＣＩ）、およびセルが周波数領域複信（ＦＤＤ）を使用するか、または時間領域複信（ＴＤＤ）を使用するかを符号化することができる。これらの属性により、ＰＣＩを含むシーケンスは、ＵＥが「ＲＲＣアイドル」手順と「ＲＲＣ接続」手順の両方に対してダウンリンクにおいてクリアな同期参照を有することを可能にし得る。「ＲＲＣアイドル」では、たとえば、同期は、ＵＥがＬＴＥセルにキャンプオンし、場合によっては、そのセルに関連するシステム情報によってその設定が提供されている物理ランダムアクセスチャネル（ＰＲＡＣＨ）にプリアンブルを送ることによってこのセルにアクセスすることを可能にする。
【０００４】
ＵＥは、ＴＰによって送信される１次同期信号（ＰＳＳ）および２次同期信号（ＳＳＳ）を使用することによって、ダウンリンクにおいてＴＰによって提供されるセルとの周波数および時間同期を得ることができる。時間におけるＰＳＳおよびＳＳＳ構造が、ＦＤＤ事例に対して図１に、ＴＤＤ事例に対して図２に示されている。ＴＰは、同期信号を周期的に、１０ｍｓの無線フレームごとに２度送信する。この構成は、ＵＥが常に何らかの無線フレームに同期することを可能にする。ＦＤＤセル（図１参照）では、ＰＳＳは常に各無線フレームの第１のタイムスロットおよび第１１のタイムスロットの最後の直交周波数分割多重（ＯＦＤＭ）シンボル内に位置し、それにより、ＵＥがＣＰ長とは無関係にスロット境界タイミングを獲得することを可能にする。ＳＳＳはＰＳＳ直前のシンボル内に位置し、これは、チャネルコヒーレンス持続時間が１つのＯＦＤＭシンボルよりも著しく長いとの仮定に基づく、ＰＳＳに対するＳＳＳのコヒーレント検出を可能にする設計選択である。
【０００５】
ＴＤＤセル（図２参照）では、ＰＳＳは、第３のスロットおよび第１３のスロットの第３のシンボル内に位置するが、ＳＳＳは、３つ前のシンボルに位置する。コヒーレント検出は、チャネルコヒーレンス時間が４つのＯＦＤＭシンボルよりも著しく長いという仮定の下で使用され得る。ＳＳＳの正確な位置は、そのセルに対して設定されたＣＰの長さに応じて変更される。セル検出プロセスのこの段階において、ＣＰ長はＵＥに先見的に知られておらず、したがって、ＣＰ長は、２つの考えられる位置においてＳＳＳを検査することによって盲目的に検出される。所与のセル内のＰＳＳはそのＰＳＳが送信されるすべてのサブフレーム内で同じであるが、各無線フレーム内の２つのＳＳＳ送信は特定の方法で変更され、したがって、ＵＥが１０ｍｓの無線フレーム境界の位置を確立することを可能にする。
【０００６】
周波数領域における、ＰＳＳおよびＳＳＳのサブキャリアへのマッピングが図３に示されている。ＰＳＳおよびＳＳＳは、中央の６つのリソースブロック（ＲＢ）内で送信され、同期信号の周波数マッピングがシステム帯域幅に対して不変になることを可能にし、これは、原則として、およそ１．４ＭＨｚから２０ＭＨｚのチャネル帯域幅に適した６個のＲＢから１１０個のＲＢまで様々であってよい。この構成は、ＵＥが割り振られた帯域幅のいかなる事前の知識ももたずに、ネットワークに同期することを可能にする。
【０００７】
物理レイヤセル識別情報ＰＣＩをＵＥに指示するために、所与のセル内でＰＳＳおよびＳＳＳに対して送信される特定のシーケンスが使用される。ＬＴＥでは、３個の識別情報の１６８個のグループにグループ化された、５０４個の一意ＰＣＩが存在する。グループ内の３個の識別情報は、通常、同じｅＮｏｄｅＢの制御下でセルに割り当てられることになる。３個のＰＳＳシーケンスは、グループ内のセル識別情報を指示するために使用され、１６８個のＳＳＳシーケンスは、グループの識別情報を指示するために使用される。
【０００８】
ニューラジオまたはＮＲという名称の、新たな５Ｇ無線アクセス技術に関する研究項目が３ＧＰＰにおいて開始されている。この研究は、次の設計原則に関連付けられる：ＮＲとして示される新たな５Ｇ無線アクセス技術におけるウルトラリーン（ｕｌｔｒａ−ｌｅａｎ）設計；自己完結型送信：ビームフォーミングの大量使用；およびアイドル接続性と接続（Ｃｏｎｎｅｃｔｅｄ）接続性との間の減結合、である。
【０００９】
ＮＲは、将来の開発を考慮し得るエネルギー効率の高いシステムを目指した、「常時オン」送信の最小化を暗示するウルトラリーンシステムになると想定される。たとえば、ＲＡＮ１＃８４ｂｉｓにおいて、ＲＡＮ１グループは、ウルトラリーン設計に関して、ＮＲが、フレキシブルに利用され得るか、または将来、後方互換性問題を生じさせずにブランク状態に残され得る、時間リソースおよび周波数リソースの量の最大化に向けて努力すべきであることに合意し、この場合、ブランクリソースは将来の使用のために使用され得る。さらに合意されたのは、ＮＲは、常時オン信号の送信の最小化、および物理レイヤ機能性に関する信号およびチャネル、たとえば、信号、チャネル、シグナリングを設定可能な／割振り可能な時間／周波数リソース内に制限することに向けて努力すべきであるということである。
【００１０】
ＬＴＥに関して述べたように、ＰＳＳおよびＳＳＳは、主な時間／周波数同期イネーブラである。ＰＳＳおよびＳＳＳは、１０ｍｓの無線フレームごとに２度送信される常時オン信号として分類される。したがって、リーンシステムは、同期シーケンスの必要を考慮すべきである。
【００１１】
ＬＴＥでは、ＵＥは、所与のセルに同期するためにＰＳＳおよびＳＳＳに依存し、そのような信号はＰＣＩを符号化する。ＵＥは、たとえば、ＤＬベースのモビリティ、および同じＰＣＩに関連するチャネル推定をサポートするために、無線リソース管理（ＲＲＭ）測定を実行するために使用されるセル固有参照信号（ＣＲＳ）を導出する。
【００１２】
ＮＲでは、ＰＳＳ／ＳＳＳおよびＣＲＳなどのセル固有信号に依存する代わりに、「自己完結型」送信が想定される。自己完結型送信は、すべてのチャネルがそれらの独自の同期シーケンスを含有することを意味する。自己完結型送信の使用は、進行中のデータ送信が存在しない限り、またはスケジュールされている送信が存在しない限り、ＮＲ  ＴＰが、同期のためでない場合でさえ、何の信号も送信しない程度までウルトラリーンであるように行われ得る。この場合、ＵＥは、同期を得て、同じサブフレーム／タイムスロット内でデータを復号する。
【００１３】
自己完結型送信によってもたらされる制限は、ＵＥが移動する間、ＵＥがスケジュールされたデータを何も有さない期間が存在し、その結果、ＵＥがＰＤＣＣＨ可用性、またはいずれかの他のチャネルの可用性、およびそれらの自己完結型信号を検査するとき、ＵＥは不十分なカバレッジを有するため、ＵＥは再同期することができないことである。同時に、たとえば、ＵＥが別のＴＰまたはアクセスノードに近づいたことにより、ＵＥをさらに良好にカバーするであろうビームが存在することになる。したがって、測定を実行し、測定報告を送り、最終的に、ネットワークがモビリティ手順または何らかのタイプのビーム管理をトリガすることを可能にするために、ＵＥがデータを送信していない間に、ＵＥは何らかの種類の無線リンク監視を実行する必要がある。さもなければ、代替案は、何らかの種類の無線リンク障害（ＲＬＦ）宣言と、それに続く、接続の再確立の試みであろう。その手法は、特に、リーン設計およびアイドルＵＥに対して送信される信号の企図される低周期性を考慮すると、ＵＥがデータを再送信することができるまで、遅延をかなり増大する可能性がある。
【００１４】
また、ＮＲは最高で１００ＧＨｚまでの周波数範囲を考慮することになるという共通認識が存在する。ＬＴＥに割り振られている現在の周波数帯域と比較して、新しい帯域のうちのいくつかは、より低い回折およびより高い屋外／屋内浸透損失など、さらに難しい伝搬属性を有することになる。結果として、信号は、隅々まで伝搬し、壁を浸透するより少ない能力を有することになる。また、高周波数帯域において、大気／雨減衰およびより高いボディ損失は、ＮＲ信号のカバレッジをさらにばらつかせる。幸い、より高い周波数における動作は、より小さなアンテナ素子の使用を可能にし、多くのアンテナ素子を備えたアンテナアレイを可能にする。そのようなアンテナアレイは、狭ビームを形成し、それにより、難しい伝搬属性を補償するために複数のアンテナ素子が使用されるビームフォーミングを促進する。これらの理由で、ＮＲはカバレッジを提供するためにアンテナビームフォーミングに大いに依存することが広く受け入れられており、これにより、一部の人々はこのシステムをビームベースのシステムと呼ぶことがある。たとえば、ＮＲ  ＴＰは、アンテナビームフォーミングを実行して、対応する、場合によっては重複するカバレッジエリアを有する指向性ビームを形成する。
【００１５】
加えて、アナログ、ハイブリッド、およびデジタルを含めて、異なるアンテナアーキテクチャがサポートされるべきである。そのようなサポートは、特に、アナログ／ハイブリッドビームフォーミングの場合、どの程度多くの方向が同時にカバーされ得るかに関して何らかの制限を暗示する。送受信点またはＴＲＰとも呼ばれる、所与のＴＰにおける良好なビーム方向、アクセスノードまたはアンテナアレイを見出すために、ビーム掃引手順が一般に採用される。ビーム掃引手順の一般的な例は、ノードが、それぞれの考えられる方向に、一度に１つまたは少数の方向に、同期信号および／またはビーム識別信号を含有するビームを向けることに関連する。図４は、ビーム掃引の一例を示す。
【００１６】
アイドルＵＥによって発見され、使用されることになるＮＲセルは、場合によっては、ＵＥが同期を得るＰＳＳおよびＳＳＳなどの同期シーケンスのセットによって符号化されるセル識別子、たとえば、ＰＣＩによって規定され得る。セル識別子に基づいて、ＵＥは、システム情報を得ることが可能であり、どのようにシステムにアクセスするかを学習する。注記：この文脈において、アイドルは、ＲＲＣアイドル状態を指すが、この概念は、ＵＥがバッテリ節約のために最適化される任意の種類のスリープ状態に及ぶ。たとえば、ＬＴＥでは、アイドルは、中断／再開などの手順を含む。ＮＲ状態モードに関する前の議論は「ＲＲＣ接続非アクティブ」と呼ばれる、新たな状態に言及し、その用語は何らかの用法を見出した。
【００１７】
しかしながら、ＮＲセルは、接続モードＵＥに関して規定されなくてよいことが本明細書で認識され諒解される。代わりに、ＵＥは、複数のビームにわたって切り替わることができ、セル識別子は、ＬＴＥにおけるセルＩＤなど、前に獲得された情報から導出されない。そのような手法は、同期手順に直接影響を及ぼす。
【００１８】
従来理解されているような「セル」が使用されないビームベースのシステムにおいてＵＥに対して、少なくとも接続モードのＵＥに対してソース同期は規定されないことが本明細書において認識される。この問題は、自己完結型送信に主に依存するビームベースのシステムにおいて、ＵＥがそのソースアクセスノード／ＴＰとどのように再同期することができるかに関する。ＵＥは、何のデータもスケジュールされていないときですら、モビリティ手順をサポートするために測定を実行することが可能であるべきである。
【発明の概要】
【００１９】
とりわけ、本明細書において、方法および装置の例は、通信ネットワークが接続モードのワイヤレスデバイスに対して「セル」を規定しないビームベースのシステムにおいてワイヤレスデバイスがソース同期を達成する必要性に関して生じる問題に対する解決策を提供する。この問題は、ワイヤレスデバイスが、自己完結型送信に主に依存するビームベースのシステムにおいてそのソースアクセスノードとどのように再同期することができるかに関する。１つの例示的な利点として、企図される方法および装置は、何のデータ送信もスケジュールされていないときですら、ワイヤレスデバイスがモビリティ手順をサポートするために測定を実行することを可能にする。
【００２０】
一実施形態では、送信ポイントとも呼ばれるアクセスポイントは、たとえば、ダウンリンクにおける時間および周波数同期のために、それらの同期ソースとしてワイヤレスデバイスによって使用されることになる同期シーケンスの１つまたは複数のセットを送信する。対応する実施形態では、関連するカバレッジエリア内で動作しているワイヤレスデバイスは、これらのシーケンスのうちのいずれかをその同期ソースとして使用する。同期信号は、狭ビームまたはより広いビームでビームフォーミングされ得る。
【００２１】
そのような動作の１つの利点として、ワイヤレスデバイスは、異なる同期信号が各ビームに対して送信されている、異なるビームのカバレッジエリアにわたって移動するとき、その同期を維持することができる。たとえば、各ビームに対して送信される同期信号は、異なるシーケンスに基づく。
【００２２】
本開示はまた、ワイヤレスデバイスおよびネットワークが、それぞれの送信ポイントによって使用中の同期シーケンスを得るかまたは判定するための、またモビリティ、ビーム設定変更などをサポートするためにそのような情報を更新するための方法および装置の詳細を提示する。
【００２３】
さらに、少なくとも１つの実施形態では、送信ポイントによって送信される異なる同期信号は、異なるモビリティ参照信号（ＭＲＳ）である。各ＭＲＳは、時間同期シーケンス（ＴＳＳ）とビーム参照信号（ＢＲＳ）とを含む。したがって、送信ポイントによって送信されるＭＲＳのセットが、ワイヤレスデバイスがその送信ポイントを同期ソースとして使用することを可能にするように、送信ポイントはＭＲＳのセットで設定され、各ＭＲＳはビームに対応する。
【００２４】
同期シーケンス／ＭＲＳの複数のセットの可用性は、ワイヤレスデバイスがダウンリンク制御チャネルを復号することができないか、または他のタイプの無線リンク問題を受けているときですら、デバイスが同期を再度得ることを可能にする。
【００２５】
上記を念頭において、１つまたは複数の実施形態では、送信ポイントは、ワイヤレス通信ネットワーク内で動作するように設定された。送信ポイントは、トランシーバ回路と、２個以上の同期信号を送信ポイントから送信するように動作可能な関連する処理回路とを含む。同期信号のそれぞれの同期信号は、アンテナビームフォーミングにおいて送信ポイントによって使用される２つ以上のビームからの異なるビームに対応する。一例では、送信ポイントは同期シーケンスのセットを使用するように設定され、この場合、各同期信号はシーケンスのうちの異なる１つのシーケンスに基づくことが理解されよう。同期信号は、送信ポイントとの同期を得るかまたは維持するための、ワイヤレスデバイスによる同期測定のための参照として働く。
【００２６】
少なくともいくつかの実施形態では、ワイヤレスデバイスは、ワイヤレス通信ネットワーク内で動作するように設定された。ワイヤレスデバイスは、トランシーバ回路と、ワイヤレス通信ネットワークの送信ポイントによって使用される同期信号を判定するように設定された動作可能に関連付けられる処理回路とを含む。より詳細には、同期信号は、２つ以上の同期信号を含み、送信ポイントは、アンテナビームフォーミングにおいて送信ポイントによって使用される２つ以上のビームの各々に関して異なる同期信号を使用する。ワイヤレスデバイスは、送信ポイントによって送信される同期信号のうちの１つまたは複数の受信に基づいて送信ポイントに同期する。
【００２７】
本発明のさらなる態様は、上記で要約された方法に対応する、装置、コンピュータプログラム製品、またはコンピュータ可読記憶媒体、および上記で要約された装置およびワイヤレスデバイスの機能実装形態に関する。
【００２８】
当然、本発明は、上記の特徴および利点に限定されない。当業者は、以下の詳細な説明を読むと、かつ添付の図面を見ると、追加の特徴および利点を理解するであろう。
【００２９】
一実施形態では、ワイヤレス通信ネットワーク内で動作するように設定された送信ポイントによって実装される方法が提供される。この方法は、各同期信号がアンテナビームフォーミングにおいて送信ポイントによって使用される２つ以上のビームのうちのそれぞれ１つのビームに対応するように、ビーム固有ベースで２つ以上の同期信号を送信ポイントから送信することを含む。同期信号は、送信ポイントとの同期を得るかまたは維持するための、ワイヤレスデバイスによる同期測定のための参照として働く。これは、ワイヤレスデバイスがビームの経路内に移動するにつれてワイヤレスデバイスが同期のために使用することができる代替同期信号を検出することによって、ワイヤレスデバイスが送信ポイントによって送信される指向性ビームにわたって移動する間に、ワイヤレスデバイスは送信ポイントとの同期を維持することができるという利点を提供する。
【００３０】
さらなる態様では、この方法は、ワイヤレスデバイスが同期信号のセットに属するとして２つ以上の同期信号を判定することを可能にするための情報を送信ポイントから送信することを含む。
【００３１】
別の態様では、この方法は、２つ以上の指向性ビームを使用してダウンリンク信号を送信することを含む。
【００３２】
別の態様では、この方法は、２つ以上の同期信号を生成することであって、含まれた情報または信号属性の点で２つ以上の同期信号を区別し、それにより、受信側ワイヤレスデバイスが２つ以上の同期信号を区別することを可能にすることを含む、生成することを含む。
【００３３】
いくつかの態様では、送信ポイントは２つ以上の同期信号を生成し、各同期信号は、２つ以上の同期信号のうちの他の１つまたは複数の同期信号と区別可能である。
【００３４】
別の態様では、２つ以上の同期信号は、モビリティ参照信号（ＭＲＳ）のセットを含み、各ＭＲＳは、時間同期信号（ＴＳＳ）とビーム参照信号（ＢＲＳ）とを含み、各ＢＲＳはＭＲＳのセット内で一意であり、さらに各ＭＲＳは、アンテナビームフォーミングにおいて送信ポイントによって使用される２つ以上の指向性ビームのうちの異なる１つの指向性ビームに関連付けられる。
【００３５】
別の態様では、この方法は、ビーム掃引パターンに従って２つ以上の同期信号を送信することをさらに含む。
【００３６】
別の態様では、この方法は、送信ポイントと対応する指向性ビームのカバレッジエリア内で動作している１つまたは複数のワイヤレスデバイスとの間の無線リンク状態、および対応する指向性ビームのカバレッジエリア内で動作している、１つまたは複数のワイヤレスデバイスの監視された同期品質のうちの少なくとも１つに応じて、対応する指向性ビームに対して少なくとも１つの同期信号の送信を適応させることをさらに含む。
【００３７】
別の態様では、この方法は、生成され送信されることになる２つ以上の同期信号を指定するシグナリングをワイヤレス通信ネットワーク内の別のノードから受信することをさらに含む。
【００３８】
別の態様では、この方法は、指向性ビームのうちの１つまたは複数に対して、対応する同期信号を送信するためにどのダウンリンクリソースを使用するかを送信ポイントにおいて動的に判定することをさらに含む。
【００３９】
別の態様では、この方法は、送信ポイントから支援情報を送信することをさらに含み、支援情報は、２つ以上の同期信号を識別するか、またはさもなければ、ワイヤレスデバイスが２つ以上の同期信号を検出または識別するために必要な情報を提供する。
【００４０】
別の態様では、この方法は、送信ポイントが各指向性ビームに対して異なる同期信号を送信するように、アンテナビームフォーミングにおいて送信ポイントによって使用される指向性ビームの数を動的に変更し、対応して、送信ポイントによって使用中の同期信号の数を変更することをさらに含む。
【００４１】
別の実施形態では、送信ポイントはワイヤレス通信ネットワーク内で動作するように設定され、送信ポイントは、トランシーバ回路と、各同期信号がアンテナビームフォーミングにおいて送信ポイントによって使用される２つ以上の指向性ビームのうちのそれぞれ１つの指向性ビームに対応するように、トランシーバ回路を介して、ビーム固有ベースで２つ以上の同期信号を送信ポイントから送信するように動作可能な処理回路とを含む。同期信号は、送信ポイントとの同期を得るかまたは維持するためのワイヤレスデバイスによる同期測定のための参照として働く。
【００４２】
別の実施形態では、ワイヤレス通信ネットワーク内で動作するように設定されたワイヤレスデバイスによる動作の方法が提供される。この方法は、ワイヤレス通信ネットワーク内で送信ポイントによって使用される同期信号のセットを判定することと、セット内の同期信号のうちの検出された同期信号に基づいて、２つ以上の指向性ビームに対応するカバレッジエリア間の移動に関連して、送信ポイントとの同期を維持することとを含む。ビームは同じ送信ポイントに属すると判定されているため、これは、ワイヤレスデバイスが新たなビームのカバレッジに入るとき、ワイヤレスデバイスが送信ポイントと新たな同期手順を実行することを回避する利点を提供する。
【００４３】
別の態様では、同期信号のセットを判定することは、同期信号のセットを識別するか、またはワイヤレスデバイスが同期信号のセットを識別することを可能にする情報を提供する支援情報を受信することを含む。
【００４４】
別の態様では、送信ポイントは、ワイヤレス通信ネットワーク内の近隣の第１および第２の送信ポイントのうちの第１の送信ポイントを含む。この方法は、第２の送信ポイントに関連付けられると判定されたセットを含む、１つまたは複数の同期信号を検出することと、第２の送信ポイントから検出された１つまたは複数の同期信号に関してワイヤレスデバイスによって判定された無線品質が第１の送信ポイントからのいずれかの検出された同期信号に関してワイヤレスデバイスによって判定された無線品質よりも高いとの判定に基づいて、ワイヤレスデバイスに対する同期ソースとして第１の送信ポイントを使用することからワイヤレスデバイスに対する同期ソースとして第２の送信ポイントを使用することに変更することとをさらに含む。
【００４５】
別の態様では、この方法は、ワイヤレス通信ネットワークからの情報の受信に基づいて、対応する指向性ビームに対して各同期信号を送信するために使用されるダウンリンクリソースを判定することをさらに含む。
【００４６】
別の態様では、送信ポイントとの同期を維持することは、同期信号のセット内の同期信号のうちの２つ以上がワイヤレスデバイスによって検出された場合、送信ポイントとの同期を維持する際に使用するための、２つ以上の検出された同期信号のうちの最強のまたは最高品質の同期信号を選択することを含む。
【００４７】
別の実施形態では、ワイヤレスデバイスは、ワイヤレス通信ネットワーク内で動作するように設定された。ワイヤレスデバイス（５０）は、ワイヤレス通信ネットワーク内で送信ポイント（３０）から信号を受信するためのトランシーバ回路と、トランシーバ回路に動作可能に関連付けられ、送信ポイントによって使用される同期信号のセットを判定し、セット内の同期信号のうちの検出された同期信号との動的な同期または再同期に基づいて、２つ以上の指向性ビームに対応するカバレッジエリア間の移動に関連して、送信ポイントとの同期を維持するように設定された処理回路とを含む。
【００４８】
別の実施形態では、コンピュータプログラム製品は、ワイヤレス通信ネットワーク内で動作するように設定された送信ポイントの少なくとも１つの処理回路上で実行されると、送信ポイントに各同期信号がアンテナビームフォーミングにおいて送信ポイント（３０）によって使用される２つ以上の指向性ビームのうちのそれぞれ１つの指向性ビームに対応するように、ビーム固有ベースで２つ以上の同期信号を送信ポイントから送信させるコンピュータ命令を含む。同期信号は、送信点との同期を得るかまたは維持するための、ワイヤレスデバイスによる同期測定のための参照として働く。
【００４９】
別の実施形態では、コンピュータプログラム製品は、ワイヤレス通信ネットワーク内で動作するように設定されたワイヤレスデバイスの少なくとも１つの処理回路上で実行されると、ワイヤレスデバイスに、送信ポイントによって使用される同期信号のセットを判定させ、セット内の同期信号のうちの検出された同期信号との動的な同期または再同期に基づいて、２つ以上の指向性ビームに対応するカバレッジエリア間の移動に関連して、ワイヤレス通信ネットワークとの同期を維持させるコンピュータ命令を含む。
【００５０】
別の実施形態では、送信ポイントは、ワイヤレス通信ネットワーク内で動作するように設定され、送信モジュールと、各同期信号がアンテナビームフォーミングにおいて送信ポイントによって使用される２つ以上の指向性ビームのうちのそれぞれ１つの指向性ビームに対応するように、送信モジュールを介して、ビーム固有ベースで２つ以上の同期信号を送信ポイントから送信するように設定された処理モジュールとを含む。同期信号は、送信ポイントとの同期を得るかまたは維持するための、ワイヤレスデバイスによる同期測定のための参照として働く。
【００５１】
別の実施形態では、ワイヤレスデバイスは、ワイヤレス通信ネットワーク内で動作するように設定され、ワイヤレス通信ネットワーク内で送信ポイントから信号を受信するように設定された受信モジュールと、送信ポイントによって使用される同期信号のセットを判定し、セット内の同期信号のうちの検出された同期信号と動的に同期することまたは再同期することによって、２つ以上の指向性ビームに対応するカバレッジエリア間の移動に関連して、送信ポイントとの同期を維持するように設定された処理モジュールとを含む。
【図面の簡単な説明】
【００５２】
【図１】ＦＤＤ事例における時間領域内のＰＳＳおよびＳＳＳフレームならびにスロット構造を示す図である。
【図２】ＴＤＤ事例における時間領域内のＰＳＳおよびＳＳＳフレームならびにスロット構造を示す図である。
【図３】ＦＤＤセルに対する周波数および時間領域におけるＰＳＳおよびＳＳＳフレーム構造を示す図である。
【図４】ビーム掃引手順を示す図である。
【図５Ａ】１つまたは複数の送信ポイントを含む、１つの例示的なワイヤレス通信ネットワークを示す図である。
【図５Ｂ】ワイヤレスデバイスによって使用するための複数の同期シーケンスを送信ポイントから送信する一実施形態を示す図である。
【図６】いくつかの実施形態によるネットワークノードのブロック図である。
【図７】いくつかの実施形態による、ワイヤレス通信ネットワークにおける動作の方法を示す図である。
【図８】いくつかの実施形態による、ユーザ機器のブロック図である。
【図９】いくつかの実施形態による、ワイヤレス通信ネットワークにおける動作の方法を示す図である。
【図１０】いくつかの実施形態による、シーケンスの異なるセットを使用して異なる時点でそれ自体がソースと同期されると見なすユーザ機器を示す図である。
【図１１】いくつかの実施形態による、同期ソースとして使用されることになる同期信号の様々な数のセットを示す図である。
【図１２】いくつかの実施形態による、ネットワークノードの機能実装形態を示すブロック図である。
【図１３】いくつかの実施形態による、ワイヤレスデバイスの機能実装形態を示すブロック図である。
【発明を実施するための形態】
【００５３】
本明細書において、同期信号およびビーム識別信号の同じカバレッジ属性を有することによって、ワイヤレスデバイスは、送信ポイントと同期することができるだけではなく、所与のロケーションにおいて最善のビーム知識を得ることもできることが認識および諒解される。さらに、本明細書において、同期獲得に関して、ダウンリンクにおいて送信される同期信号は（利用可能であるなら）ビーム掃引方法で発生し得、したがって、ワイヤレスデバイスはすべてが同じノードに属しているいくつかの同期信号を聴取することが可能であり得ることが諒解される。
【００５４】
１つの例示的な実施形態では、送信ポイントは２つ以上の同期信号を送信し、たとえば、送信ポイントは同期信号のセットを送信する。ここで、送信ポイントは、たとえば、ネットワークアクセスノードを含む。さらに、２つ以上の同期信号の送信は、一般的な意味で、たとえば、１つが第１のシーケンスに基づいて、１つが第２のシーケンスに基づいて、区別可能である２つ以上の同期信号の送信を指すことを理解されたい。２つ以上の同期信号の「送信」は、それらの同期信号を複数回数、たとえば、任意の数の反復的なフレームまたはサブフレーム内で送信することを含み得ることも理解されたい。さらに、２つ以上の同期信号の送信は、それらの同期信号を同時点、または異なる時点などに送信することを意味し得る。
【００５５】
これらの同期信号は、ＰＳＳ／ＳＳＳまたはモビリティ参照信号（ＭＲＳ）など、同期シーケンスを含み得る。ＭＲＳは、ワイヤレスネットワーク内で送信され、ワイヤレスデバイスによる測定のために特別に指定される信号を指す場合があり、この場合、測定はモビリティ手順、たとえば、あるノードから別のノードへの、またはあるビームから別のビームへのハンドオーバにおいて使用するためである。時として、ＭＲＳは、測定参照信号と呼ばれる場合もある。ＭＲＳは、時間同期シーケンス（ＴＳＳ）とビーム参照信号（ＢＲＳ）とを含み得る。同期信号のセットは、ＴＳＳおよびＢＲＳなど、シーケンスの対を含み得る。言い換えれば、「同期シーケンスの複数のセット」は、「複数のＭＲＳ」であると解釈され得る。ＭＲＳのセットは、所与のユーザ機器（ＵＥ）のための同期ソースとして使用され得る。別段の注釈がない限り、「ＵＥ」および「ワイヤレスデバイス」は、交換可能な用語と見なされ得ることに留意されたい。
【００５６】
ＭＲＳセットは、送信されたＭＲＳによって占有される物理リソース、すなわち、時間周波数および／またはコードリソースを規定する、かつ／またはＭＲＳを構成するシンボル値のシーケンスなどの信号シーケンスを規定するパラメータのセットを指す場合もある。したがって、たとえば、異なるＭＲＳセットは、直交周波数分割多重（ＯＦＤＭ）時間周波数グリッドにおけるリソースエレメントの異なるパターンなど、異なるＭＲＳに対する異なる時間周波数リソースを指定し得る。異なるＭＲＳセットは、代わりに、または加えて、たとえば、シンボル値の異なるシーケンスを指定し得る。
【００５７】
様々な実施形態によれば、アクセスノードであってよく、同期測定またはＲＲＭ測定など、様々な目的で使用される、送信ポイントのカバレッジエリアの下で信号の１つまたは複数のセットがワイヤレスデバイスによって受信され得る。たとえば、信号のセットは同期信号のセットであり得、この場合、異なる同期信号は送信ポイントによって使用される２つ以上の指向性ビームの各々に属し、各指向性ビームは、ダウンリンクサービスのために送信ポイントのカバレッジエリアのそれぞれの部分をカバーする。その信号セットまたは複数の信号セットを受信するワイヤレスデバイスは、ダウンリンクにおいて時間および周波数同期のためのその同期ソースとして信号セットを使用することを自律的に判定することが可能であり得る。たとえば、とりわけ、ワイヤレスデバイスが同じ送信ポイントまたはアクセスノードによって送信されているシーケンスの異なるセットのカバレッジにわたって移動するとき、ワイヤレスデバイスを同期状態に維持するために、受信された信号セットの同期信号が使用され得る。これらのセットのうちのいずれかを検出することができ、それらのセットから同期を得ることが可能である限り、任意の誤差事例、または無線リンク障害などの障害手順をトリガする必要はない。
【００５８】
図５Ａおよび図５Ｂは、本明細書で企図される例示的な構成を示す。具体的には、図５Ａは、ネットワーク２０に無線アクセスを提供するいくつかの送信ポイント３０に対するサポートを提供する、たとえば、動作ノード、ゲートウェイノードなど、１つまたは複数のサポートノード２２を含む、１つの例示的なワイヤレス通信ネットワーク２０を示す。送信ポイント３０−１、３０−２、および３０−３を含む、３つの送信ポイント３０が図に出ている。「送信ポイント」と呼ばれるが、各送信ポイント３０は、ネットワーク２０内で動作するワイヤレスデバイスに対してダウンリンク送信と、そのようなデバイスからのアップリンク送信の受信の両方を提供する、アクセスポイント、基地局などとして動作し得ることを諒解されよう。簡単のために、「ＵＥ５０」と示される、１つの例示的なワイヤレスデバイス５０のみが図に出ているが、ワイヤレスデバイス５０はそれぞれの送信ポイント３０に関連する無線カバレッジエリア内でまたはその間を移動し得ることを諒解されよう。
【００５９】
その点で、図５Ａにおいて、各送信ポイント３０はビームフォーミング送信ポイントとして動作し、各送信ポイント３０は２つ以上の指向性ビームを使用し、各ビームは、対応するカバレッジエリア内に無線カバレッジを提供する。当然、ビーム間カバレッジエリアは重複する場合があり、送信ポイント３０は、ビームサイズ、ビーム形状、およびビームカウントのうちのいずれかの１つまたは複数を動的に調整することができる。
【００６０】
図５Ｂは、送信ポイント３０によるビームフォーミングの一例を示し、この場合、送信ポイント３０による複数の同期信号の送信は、ダウンリンクにおける時間および周波数同期のためのその同期ソースとしてワイヤレスデバイス５０によって使用されることになる。複数の同期信号１１０、１２０、１３０、および１４０は、狭ビームまたはより広いビームでビームフォーミングされ得る。ワイヤレスデバイス５０はこれらの信号のうちのいずれも検出することが可能であるという条件で、ワイヤレスデバイス５０は、それ自体をソースアクセスノードまたは送信ポイントと同期されると見なすことができる。場合によっては、モビリティおよび／またはパラメータ最適化の場合など、更新手順のために信号のセットが使用され得る。
【００６１】
図５Ｂの文脈で、同期信号１１０は、同期シーケンスの規定されるセットからの第１の同期シーケンスである、同期信号１２０はそのセットからの第２の同期シーケンスである、等々、と理解され得る。
【００６２】
図６は、１つの例示的な送信ポイント３０をより詳細に説明するが、送信ポイント３０は異なって実装され得ることを理解されたい。さらに、送信ポイント３０は、アクセスポイント、基地局、ｅＮｏｄｅＢ、ｇＮＢ、または別のトランシーバなど、無線ネットワークノードの一例であると理解されるべきである。またさらに、送信ポイント３０に帰属する機能性の少なくともいくつかは、２つ以上のノードにわたって分散されてよく、たとえば、少なくともいくつかの機能性は、無線ネットワーク内で、または関連するコアネットワーク内で、他のノードによって実行されてよいか、またはクラウドベースであってもよい。
【００６３】
ネットワークノード３０とも呼ばれる送信ポイント３０は、他のネットワークノード２２と通信するための回路を含む通信インターフェース回路３８を含む。ネットワークノード３０は、アンテナ３４およびトランシーバ回路３６を介してネットワーク内で動作しているワイヤレスデバイス５０と通信する。アンテナ３４は、たとえば、アンテナ素子のアレイを含み、トランシーバ回路３６は、アンテナアレイを使用してビームフォーミングを実行するように設定された。
【００６４】
広く、トランシーバ回路３６は、少なくとも、ネットワークノード３０に関連するカバレッジエリア内で動作しているワイヤレスデバイス５０に通信サービスを提供するために、１つまたは複数の無線アクセス技術に従って、信号を送信および受信するように集合的に設定された、送信機回路と、受信機回路と、関連する制御回路とを含み得る。たとえば、ネットワークノード３０は、ＮＲネットワーク内で無線アクセスを提供するＮＲノードとして設定された。
【００６５】
ネットワークノード３０はまた、通信インターフェース回路３８およびトランシーバ回路３６に動作可能に関連付けられる処理回路３２を含む。ネットワークノード３０は、他のネットワークノード２２と通信するために通信インターフェース回路３８を使用し、ワイヤレスデバイス５０と通信するためにトランシーバ回路３６を使用する。例として、処理回路３２は、１つまたは複数のデジタルプロセッサ４２、たとえば、１つまたは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の混合物を含む。より一般的には、処理回路３２は、固定回路、または、本明細書で教示する機能性を実装するプログラム命令の実行によって特に設定されたプログラマブル回路を含み得るか、または固定およびプログラムされた回路の何らかの混合物を含み得る。
【００６６】
示す実施形態では、処理回路３２はメモリ４４を含む。メモリ４４は、いくつかの実施形態では、１つまたは複数のコンピュータプログラム４６、およびオプションで、設定データ４８を記憶する。メモリ４４は、コンピュータプログラム４６に非一時的記憶装置を提供し、メモリ４４は、ディスク記憶装置、固体メモリ記憶装置、またはそれらの任意の混合物など、１つまたは複数のタイプのコンピュータ可読媒体を含み得る。非限定的な例として、メモリ４４は、処理回路３２内にあってよく、かつ／または処理回路３２とは別個であってもよい、ＳＲＡＭ、ＤＲＡＭ、ＥＥＰＲＯＭ、およびＦＬＡＳＨメモリのうちのいずれか１つまたは複数を含む。
【００６７】
一般に、メモリ４４は、ネットワークノード３０によって使用されるコンピュータプログラム４６および任意の設定データ４８の非一時的記憶装置を提供する１つまたは複数のタイプのコンピュータ可読記憶媒体を含む。ここで、「非一時的」は、永続的、半永続的、または少なくとも一時的に永続的な記憶装置を意味し、たとえば、プログラム実行のための、不揮発性メモリ内の長期記憶装置とワーキングメモリ内の記憶装置の両方を包含する。
【００６８】
いくつかの実施形態では、処理回路３２のプロセッサ４２は、アンテナビームフォーミングにおいてネットワークノード３０によって使用される２つ以上のビームの各々に対して異なる同期信号を送信するためにトランシーバ回路３６の送信回路を制御するようにプロセッサ４２を設定するメモリ４４内に記憶されたコンピュータプログラム４６を実行することができる。それぞれのそのようなビームは、たとえば、ネットワークノード３０のカバレッジエリア全体のそれぞれの部分をカバーする。各指向性ビームに対して送信される同期信号は、ネットワークノード３０に関連する同期信号のセットに属し、ネットワークノード３０のカバレッジエリア内で動作するワイヤレスデバイス５０がネットワークノード３０を介してワイヤレス通信ネットワーク２０と同期することを可能にする。同期信号はまた、同期信号が受信された信号強度もしくは品質または他の無線測定を行うための参照信号としてワイヤレスデバイス５０によって使用されることを可能にする属性を有し得る。
【００６９】
いくつかの実施形態では、処理回路３２は、各同期信号がアンテナビームフォーミングにおいて送信ポイントによって使用される２つ以上の指向性ビームのうちのそれぞれ１つの指向性ビームに対応するように、トランシーバ回路３６を介して、ビーム固有ベースで２つ以上の同期信号をネットワークノード３０から送信するように設定された。同期信号は、ネットワークノード３０との同期を得るかまたは維持するための、ワイヤレスデバイス５０による同期測定のための参照として働く。
【００７０】
いくつかの実施形態では、ネットワークノード３０の処理回路３２は、２つ以上の同期信号を生成するように設定され、各同期信号は、２つ以上の同期信号のうちの他の１つまたは複数の同期信号と区別可能である。さらに、処理回路３２は、各同期信号がアンテナビームフォーミングにおいて送信ポイントによって使用される２つ以上の指向性ビームのうちのそれぞれ１つの指向性ビームに対応するように、トランシーバ回路３６を介して、ビーム固有ベースでネットワークノード３０から２つ以上の同期信号を送信するように設定された。同期信号は、ネットワークノード３０との同期を得るかまたは維持するための、ワイヤレスデバイス５０による同期測定のための参照として働く。
【００７１】
いくつかの実施形態では、ネットワークノード３０の処理回路３２は、２つ以上の同期信号を生成するように設定され、各同期信号は、送信ポイントに関連する同期信号のセットに属する。さらに、処理回路３２は、各同期信号がアンテナビームフォーミングにおいて送信ポイントによって使用される２つ以上の指向性ビームのうちのそれぞれ１つの指向性ビームに対応するように、トランシーバ回路３６を介して、ビーム固有ベースで２つ以上の同期信号をネットワークノード３０から送信するように設定された。同期信号は、ネットワークノード３０との同期を得るかまたは維持するための、ワイヤレスデバイス５０による同期測定のための参照として働く。さらなる例示的な詳細では、処理回路３２は、２つ以上の指向性ビームを使用してダウンリンク信号を送信するように設定された。同じ実施形態または他の実施形態では、処理回路３２は、含まれた情報または信号属性の点で２つ以上の同期信号を区別するように設定され、それにより、受信側ワイヤレスデバイス５０が２つ以上の同期信号を区別することを可能にする。
【００７２】
２つ以上の同期信号は、たとえば、モビリティ参照信号（ＭＲＳ）のセットを含む。次に、各ＭＲＳは、時間同期信号（ＴＳＳ）とビーム参照信号（ＢＲＳ）とを含み、各ＢＲＳは、ＭＲＳのセット内で一意である。さらに、各ＭＲＳは、アンテナビームフォーミングにおいて送信ポイントによって使用される２つ以上の指向性ビームのうちの異なる１つの指向性ビームに関連付けられる。
【００７３】
さらに、１つまたは複数の実施形態では、処理回路３２は、ビーム掃引パターンに従って２つ以上の同期信号を送信するように設定された。同じ実施形態では、または、またさらなる実施形態では、処理回路３２は、送信ポイントと対応する指向性ビームのカバレッジエリア内で動作している１つまたは複数のワイヤレスデバイス５０との間の無線リンク状態、および対応する指向性ビームのカバレッジエリア内で動作している１つまたは複数のワイヤレスデバイス５０の監視された同期品質のうちの少なくとも１つに応じて、対応する指向性ビームに対して少なくとも１つの同期信号の送信を適応させるように設定された。
【００７４】
処理回路３２は、少なくともいくつかの実施形態では、ワイヤレス通信ネットワーク２０内の別のノードから、たとえば、サポートノード２２から、シグナリングを受信するようにさらに設定され、この場合、そのようなシグナリングは、生成され送信されることになる２つ以上の同期信号を指示する。またさらに、少なくともいくつかの実施形態では、処理回路３２は、指向性ビームのうちの１つまたは複数に対して対応する同期信号を送信するためにどのダウンリンクリソースを使用するかを動的に判定するように設定された。
【００７５】
処理回路３２は、ネットワークノード３０から支援情報を送信するように設定されてもよい。支援情報は、２つ以上の同期信号を識別するか、またはさもなければ、ワイヤレスデバイス５０が２つ以上の同期信号を検出または識別するために必要な情報を提供する。またさらに、処理回路３２は、ネットワークノード３０が各指向性ビームに対して異なる同期信号を送信するように、アンテナビームフォーミングにおいてネットワークノード３０によって使用される指向性ビームの数を動的に変更し、対応して、ネットワークノード３０によって使用中の同期信号の数を変更するように設定され得る。
【００７６】
より一般的には、ネットワークノード３０は、図６の例に示す実装の詳細に制限されずに、ネットワークノード３０に関して説明した上記の機能性のうちのいずれかを実施する動作の１つまたは複数の方法を実行することができる。対応して、図７は、ネットワークノード３０によって実行される１つの例示的な方法７００を示す。
【００７７】
方法７００は、２つ以上の同期信号を生成すること（ブロック７０２）であって、各同期信号が、２つ以上の同期信号のうちの他の１つまたは複数の同期信号と区別可能である、生成すること（ブロック７０２）と、各同期信号が、アンテナビームフォーミングにおいて送信ポイントによって使用される２つ以上の指向性ビームのうちのそれぞれ１つの指向性ビームに対応するように、ビーム固有ベースで２つ以上の同期信号を送信ポイントから送信すること（ブロック７０４）とを含む。ここで、同期信号は、送信ポイント３０との同期を得るかまたは維持するための、ワイヤレスデバイス５０による同期測定のための参照として働く。
【００７８】
方法（７００）は、２つ以上の同期信号を生成すること（７０２）であって、各同期信号が送信ポイントに関する同期信号のセットに属する、生成することと（７０２）と、各同期信号がアンテナビームフォーミングにおいて送信ポイント（３０）によって使用される２つ以上の指向性ビームのうちのそれぞれ１つの指向性ビームに対応するように、ビーム固有ベースで送信ポイント（３０）から２つ以上の同期信号を送信すること（７０４）とを含んでよく、同期信号は、送信ポイント（３０）との同期を得るかまたは維持するための、ワイヤレスデバイス（５０）による同期測定のための参照として働く。上記で示唆したように、方法７００は、２つ以上の同期信号を識別する、たとえば、指向性ビームの関連するセットに関してネットワークノード３０によって使用されている同期信号のセットを識別する支援情報を送信することなど、さらなる動作を含み得る。方法７００はまた、ビーム掃引パターンに従って同期信号を送信することを含み得る。またさらに、方法７００は、ネットワークノード３０と対応する指向性ビームのカバレッジエリア内で動作している１つまたは複数のワイヤレスデバイス５０との間の無線リンク状態、および対応する指向性ビームのカバレッジエリア内で動作している１つまたは複数のワイヤレスデバイス５０の監視された同期品質のうちの少なくとも１つに応じて、対応する指向性ビームに対して少なくとも１つの同期信号の送信を適応させることを含み得る。
【００７９】
述べたように、２つ以上の同期信号は、モビリティ参照信号（ＭＲＳ）のセットを含み得る。すでに述べたように、各ＭＲＳは、時間同期信号（ＴＳＳ）とビーム参照信号（ＢＲＳ）とを含み得る。各ＢＲＳは、ＭＲＳのセット内で一意であり、各ＭＲＳは、アンテナビームフォーミングのために送信ポイント３０によって使用される異なるビームに関連付けられる。
【００８０】
さらに、カバレッジエリア全体に対してカバレッジを提供するためにビームの異なるセットが使用されるビームフォーミング解決策が存在し得る。たとえば、同じカバレッジエリア全体の中に異なる粒度のビーム幅が存在し得る。カバレッジエリア全体の中に何のタイプのワイヤレスデバイス５０が存在するかに応じて、ビームの特定のセットを異なる時点で使用することができる。ゆっくりと移動する遠く離れたワイヤレスデバイス５０が存在すると、そのようなデバイスに対して後退する同期ソースとして数個の狭ビームを用いた設定を伴い得る。カバレッジエリア内に多くのワイヤレスデバイス５０が存在する場合、ネットワークノード３０、または複数の協調するノード３０は、同期ソースとして少数の共通の広域ビームをワイヤレスデバイス５０に提供するように設定され得る。基本的に、必要とされるビームフォーマー、ネットワークノードまたはノード３０は、同期カバレッジを提供するために何のタイプのビームフォーミングが使用されるかを判定するためにフレキシブルに設定され得る。たとえば、カバレッジエリア全体の中のアクティブなワイヤレスデバイスの現在の個数に応じて、異なるビームがカバレッジエリア全体の中にカバレッジを提供している場合がある。
【００８１】
所与のネットワークノード３０によって送信される複数のビーム固有の同期信号は、たとえば、同期信号内に含まれている異なる識別情報に基づいて、ワイヤレスデバイス５０によって区別され得る。さらなる改良において、同期信号は、デバイス固有であってよいか、またはワイヤレスデバイス５０のグループに固有であってよい。
【００８２】
図８は、本明細書の教示に従って設定された１つの例示的なワイヤレスデバイス５０の図を示す。ワイヤレスデバイス５０は、ワイヤレス通信能力を有し、本開示の論点であるタイプのワイヤレス通信ネットワーク２０内で動作するように設定された、本質的にすべてのタイプのデバイスまたは装置を含む。
【００８３】
ワイヤレスデバイス５０は、アンテナ５４およびトランシーバ回路５６を介して、ネットワークアクセスノード３０など、無線ノードまたは基地局と通信する。トランシーバ回路５６は、１つまたは複数の無線アクセス技術（ＲＡＴ）に従って信号を送信および受信するように集合的に設定された、送信機回路と、受信機回路と、関連する制御回路とを含み得る。
【００８４】
ワイヤレスデバイス５０はまた、トランシーバ回路５６に動作可能に関連付けられる処理回路５２を含む。１つまたは複数の実施形態では、処理回路５２は、１つまたは複数のデジタル処理回路、たとえば、１つまたは複数のマイクロプロセッサ、マイクロコントローラ、ＤＳＰ、ＦＰＧＡ、ＣＰＬＤ、ＡＳＩＣ、またはそれらのいずれかの混合物を含む。より一般的には、処理回路５２は、固定回路、または本明細書で教示する機能性を実装するプログラム命令の実行により特に適応されるプログラマブル回路を含んでよいか、または固定およびプログラムされた回路の何らかの混合物を含んでもよい。処理回路５２は、マルチコアであってよい。
【００８５】
この例示的な実施形態では、処理回路５２はまた、メモリ６４を含むか、またはメモリ６４に関連付けられる。メモリ６４は、いくつかの実施形態では、１つまたは複数のコンピュータプログラム６６、およびオプションで、設定データ６８を記憶する。メモリ６４は、コンピュータプログラム６６に対して非一時的記憶装置を提供し、メモリ６４は、ディスク記憶装置、固体メモリ記憶装置、またはそれらの任意の混合物など、１つまたは複数のタイプのコンピュータ可読媒体を含み得る。非限定的な例として、メモリ６４は、ＳＲＡＭ、ＤＲＡＭ、ＥＥＰＲＯＭ、およびＦＬＡＳＨメモリのうちのいずれか１つまたは複数を含み、これらは、処理回路５２内にあってよく、かつ／または処理回路５２と別個であってよい。一般的に、メモリ６４は、コンピュータプログラム６６およびワイヤレスデバイス５０によって使用される任意の設定データ６８の非一時的記憶装置を提供する１つまたは複数のタイプのコンピュータ可読記憶媒体を含む。
【００８６】
いくつかの実施形態では、処理回路５２のプロセッサ６２は、本明細書で詳細に説明するように動作するようにプロセッサ６２を設定する、メモリ６４内に記憶されたコンピュータプログラム６６を実行することができる。
【００８７】
図８を非限定的な例として念頭において、ワイヤレスデバイス５０は、ワイヤレス通信ネットワーク２０内で動作するように設定された。例示的なワイヤレスデバイス５０は、ワイヤレス通信ネットワーク２０内で送信ポイント３０から信号を受信するためのトランシーバ回路５６と、トランシーバ回路５６に動作可能に関連付けられる処理回路５２とを含む。
【００８８】
処理回路５２は、送信ポイント３０によって使用される同期信号のセットを判定するように設定された。セット内の各同期信号は、アンテナビームフォーミングにおいて送信ポイント３０によって使用される異なる指向性ビームに関連付けられ、送信ポイント３０は２つ以上の指向性ビームを使用する。
【００８９】
さらに、処理回路５２は、セット内の同期信号のうちの検出された同期信号との動的な同期または再同期に基づいて、２つ以上の指向性ビームに対応するカバレッジエリア間の移動に関連して、送信ポイント３０とのワイヤレスデバイス５０の同期を維持するように設定された。同じ実施形態または少なくとも１つのさらなる実施形態では、同期信号のセット内の同期信号のうちの２つ以上が検出された場合、処理回路５２は、２つ以上の検出された同期信号のうちの最強のまたは最高品質の同期信号を同期のために選択するように設定された。このようにして、ワイヤレスデバイスは、送信ポイント３０との同期を自律的に維持することができる。
【００９０】
少なくともいくつかの実施形態では、処理回路５２は、同期信号のセットを識別するか、またはワイヤレスデバイス５０が同期信号のセットを識別することを可能にする情報を提供する支援情報の受信に基づいて、同期信号のセットを判定するように設定された。たとえば、送信ポイント３０は、トランシーバ５６を介して処理回路５２によって受信された支援情報を送信する。
【００９１】
１つの例示的なシナリオでは、送信ポイント３０は、ワイヤレス通信ネットワーク２０内の近隣の第１の送信ポイント３０−１および第２の送信ポイント３０−２のうちの第１の送信ポイントを含む。対応して、処理回路５２は、第２の送信ポイント３０−２に関連する同期信号のセットを含む、１つまたは複数の同期信号を検出し、第２の送信ポイント３０−２から検出された１つまたは複数の同期信号に対してワイヤレスデバイス５０によって判定された無線品質が第１の送信ポイント３０−１からのいずれかの検出された同期信号に対してワイヤレスデバイス５０によって判定された無線品質よりも高いとの判定に基づいて、ワイヤレスデバイス５０に対する同期ソースとして第１の送信ポイント３０−１を使用することからワイヤレスデバイス５０に対する同期ソースとして第２の送信ポイント３０−２を使用することに変更するように設定された。このようにして、同期ソースと見なされることになる同期信号のセットの更新は、ワイヤレスデバイスによって自律的に行われ得る。
【００９２】
またさらに、１つまたは複数の実施形態では、処理回路５２は、ワイヤレス通信ネットワーク２０からの情報の受信に基づいて、対応する指向性ビームに対して各同期信号を送信するために使用されるダウンリンクリソースを判定するように設定された。また、述べたように、同期信号のセットは、モビリティ参照信号（ＭＲＳ）のセットを含んでよく、各ＭＲＳは、時間同期信号（ＴＳＳ）とビーム参照信号（ＢＲＳ）とを含み、各ＢＲＳは、ＭＲＳのセット内で一意であり、さらに、各ＭＲＳは、アンテナビームフォーミングにおいて送信ポイントによって使用される２つ以上の指向性ビームのうちの異なる指向性ビームに関連付けられる。
【００９３】
図９は、図８に示した例示的なワイヤレスデバイス５０など、ワイヤレスデバイス５０によって実装される処理の方法９００の一実施形態を示す。しかしながら、方法９００は、図８に示した回路構成とは異なる回路構成を有するワイヤレスデバイスによって実行され得る。
【００９４】
方法９００は、ワイヤレスデバイス５０が、送信ポイント３０によって使用される同期信号のセットを判定すること（ブロック９０２）を含む。いくつかの実施形態では、セット内の各同期信号は、アンテナビームフォーミングにおいて送信ポイント３０によって使用される異なる指向性ビームに関連付けられてよく、送信ポイント３０は２つ以上の指向性ビームを使用する。
【００９５】
方法９００は、ワイヤレスデバイス５０が、２つ以上の指向性ビームに対応するカバレッジエリア間の移動に関連して、送信ポイント３０との同期を維持すること（ブロック９０４）をさらに含む。そのような動作は、セット内の同期信号のうちの検出された同期信号との動的な同期または再同期を含む。方法９００は、同期信号のセット内の同期信号のうちの２つ以上が検出された場合、２つ以上の検出された同期信号のうちの最強のまたは最高品質の同期信号を同期のために選択することをさらに含み得る。このようにして、ワイヤレスデバイスは、送信ポイント３０との同期を自律的に維持することができる。
【００９６】
方法９００は、ワイヤレスデバイス５０によるワイヤレス通信ネットワーク２０からの情報の受信に基づいて、同期信号のセット、および対応する指向性ビームに対して各同期信号を送信するために使用される特定のダウンリンクリソースのうちの少なくとも１つを判定することをさらに含み得る。たとえば、ワイヤレスデバイス５０は、ワイヤレスデバイス５０による自律的な決定、およびワイヤレス通信ネットワークによる開始のうちの少なくとも１つに基づいて、ワイヤレスデバイス５０は同期の検出を試みる同期信号のセットを更新または変更する。
【００９７】
図１０は、シーケンス１１０、１２０、１３０、および１４０の異なるセットを使用して異なる時点（ｔ０、ｔ１、およびｔｋ）において、それ自体がソースと同期されると見なすワイヤレスデバイス５０を示す図である。シーケンス１１０〜１４０のこれらの複数のセットは、異なる方向にビームフォーミングされ得る。シーケンスのセットは、たとえば、アナログ／ハイブリッドビームフォーミングの場合、場合によっては複数の方向にワイヤレスデバイス５０によって検出されることになるビーム掃引手順に依存し得る。
【００９８】
図１０の例では、ワイヤレスデバイス５０は、ワイヤレスデバイス５０が時間ｔ０において第１の同期シーケンス１１０を使用することになると判定する。ワイヤレスデバイス５０は後で、ワイヤレスデバイス５０が時間ｔ１において第２の同期シーケンス１２０を、時間ｔｋにおいて第３の同期シーケンス１４０を使用することになると判定する。
【００９９】
同期シーケンス（すなわち、ＭＲＳ）のセットの数は、ネットワークが異なるアクセスノードもしくは送信ポイントおよび／またはネットワーク展開に対して（周期性、掃引ごとの各ＭＲＳの反復因数、掃引ごとのＭＲＳの数など）異なってビーム掃引を設定することを可能にするために、アクセスノードによって異なり得る。したがって、場合によっては、ワイヤレスデバイス５０は２つのセットを使用することができ、他の場合には、ワイヤレスデバイス５０は３つ以上のセットを使用することができる。
【０１００】
したがって、図１１は、同期ソースとして使用されることになる同期信号の数がネットワークノード３０によって異なり得ることを示す図である。ネットワークノード３０−１は、２つの同期信号１１０および１２０を、たとえば、アンテナビームフォーミングにおいてネットワークノード３０−１によって使用される各ビーム内で１つ送信する。しかしながら、ネットワークノード３０−２は、３つの同期信号１４０、１５０、１６０を、たとえば、アンテナビームフォーミングにおいてネットワークノード３０−２によって使用される各ビーム内で１つ送信する。したがって、ワイヤレスデバイス５０−１は、その同期ソースとして同期信号１１０および１２０のうちの１つまたは両方を使用することができ、ワイヤレスデバイス５０−２は、その同期ソースとして同期信号１４０、１５０、および１６０のうちのいずれかの１つまたは複数の信号を使用することができる。これらの複数の同期信号は、ビーム掃引サイクルに従って周期的に、または、たとえば、アップリンク品質に基づいて、関連するノード３０またはネットワーク２０内のサポートノード２２によって識別された他のトリガ基準に基づいて、送信され得る。
【０１０１】
いくつかの実施形態では、同期信号は、そのソース同期目的で周期的信号として、または、ネットワーク２０が、ワイヤレスデバイス５０がいつそれらのソースノード３０と再同期する必要があるかを検出するように、非周期的信号として、のいずれかで設定された。
【０１０２】
いくつかの実施形態では、ワイヤレスデバイス５０は、ワイヤレスデバイス５０が同期ソースとして使用すべき同期信号を指示する情報をネットワーク２０から受信し、たとえば、ワイヤレスデバイス５０は、ネットワーク２０内で１つまたは複数の送信ポイント３０によって使用される同期信号の１つまたは複数のセットを指示する情報を受信する。ワイヤレスデバイス５０は、複数の同期信号を自律的に検出することができるが、同期信号と対応するビームとの間の関連性について知らず、どの同期信号が選好されるかについても必ずしも知らないため、そのような情報は役立つ。
【０１０３】
各ビームが同期信号の対応するセット内のそれぞれの同期信号に関連付けられた状態で、ビームの所与のセットに従ってビームフォーミングを行う送信ポイント３０を考慮する。同期信号のセットをワイヤレスデバイス５０に指示することは、ワイヤレスデバイス５０が、ビームフォーミングセット内のビームのうちのいずれかを認識し、ワイヤレスデバイス５０がそれぞれのビームのカバレッジエリア内を移動するにつれて、送信ポイント３０との同期を維持することを可能にする。この例を続けると、ワイヤレスデバイス５０は、複数の送信ポイント３０のカバレッジエリア内にあり得、それらの送信ポイント３０は各々、ビームを区別するために、ビームのそれぞれのセット、および同期信号、たとえば、ＭＲＳの対応するセットを使用している。当然、所与の送信ポイント３０は、ビームの複数のセットを使用することができ、各ビームセットは同期信号の対応するセットを有する。さらに、送信ポイント３０は、送信ポイント３０との同期を得るかまたは維持するための、ワイヤレスデバイス５０によって使用されることになる同期信号のサブセットまたは限定されたセットを指示し得る。いずれかのまたはすべてのそのような情報は、ネットワーク２０内で動作しているワイヤレスデバイス５０にシグナリングされ得るかまたはさもなければ指示され得る「支援」情報と見なされ得る。
【０１０４】
ワイヤレスデバイス５０は、同じカバレッジエリア内でブロードキャストされたシステム情報からそのような情報を得ることができるが、ワイヤレスデバイス５０のための同期ソースであるかまたは同期ソースとして働くことになる送信ポイント３０によるとは限らない。この動作は、初期アクセスの前に、またはワイヤレスデバイス５０が、接続モードに遷移する前など、アイドルモードにあるときに発生し得る。代替として、ワイヤレスデバイス５０は、専用シグナリングによって、使用されることになる特定の同期信号、たとえば、１つまたは複数のセットを用いて明示的に設定され得る。この手法は、ワイヤレスデバイス５０が接続モードになると、ワイヤレスデバイス５０はそのソース同期セットを得ると推定する。
【０１０５】
他の場合には、ワイヤレスデバイス５０は、セルＩＤ、システム情報インデックス（ＳＩＩ）、システムシグナチャ（ＳＳ）など、識別子の検出に基づいて、ソース同期のために使用されることになる同期信号を導出するか、推論するか、またはさもなければ、推定する。これらの場合、ＩＤと使用されることになる同期信号との間のマッピングは、規格において規定されてよいか、またはさもなければ、たとえば、アクセス情報テーブル（ＡＩＴ）内の送信されるそのような情報に基づいて、ワイヤレスデバイス５０によって得られてもよい。そのような実施形態における「マッピング」は、ＩＤと、同期信号シーケンス、またはシーケンスのセットとの間のマッピングであり得ることに留意されたい。
【０１０６】
同期信号は、スペクトルの固定部分の中で、たとえば、所与の周波数帯域の中央のＮ個のリソースブロックの中で、またはよりフレキシブルな方法で、たとえば、帯域の考えられる部分のうちの１つの中で送信され得る。フレキシブルな場合、ワイヤレスデバイス５０は、セルＩＤ、ＳＳなど、ワイヤレスデバイス５０が検出することができる別の識別子から時間周波数リソース、または同期シーケンスのセットをどこで探索するかを導出することができる。この実装手法は、送信ポイント３０が、たとえば、そのビームフォーミング設定の変更に応じて、送信ポイント３０が使用するシーケンスの数をフレキシブルに変更することを可能にする。
【０１０７】
いくつかの実施形態では、ワイヤレスデバイス５０は、同期および／または無線測定のためにワイヤレスデバイス５０によって使用されることになる同期信号に関する詳細な設定情報を受信するように設定可能であり、ネットワーク２０は、その詳細な設定情報を送るように設定可能である。たとえば、当該同期信号が周期的に送信されるかまたは非周期的に送信されるかについてワイヤレスデバイス５０に知らせることができる。同期信号が周期的である場合、サブフレーム、フレーム、ＯＦＤＭシンボル、またはワイヤレスデバイス５０が知っている何らかの他の時間測定に関する周期性をワイヤレスデバイス５０に知らせることができる。同期信号が非周期的である場合、ワイヤレスデバイス５０は、それらの送信をトリガするための、またはそれらの同期信号がいつ送信されるかについて告げられるための何らかの機構で設定され得る。これらのセットが送信される時間／周波数リソースについてワイヤレスデバイス５０に知らせることも可能である。たとえば、リソースエレメントは、所与の周波数キャリアの中央またはスペクトルの他の部分の中にあると予想され得る。
【０１０８】
いくつかの実施形態では、ワイヤレスデバイス５０は、ソース同期のために使用するための同期信号の新たなセットで更新され得る。この更新は、ネットワークによってトリガされ得るか、またはより強力な無線状態を有する新たな識別子の検出時に、もしくは同じカバレッジエリア内のシステム情報設定の更新によってなど、デバイスによって自己トリガされ得る。
【０１０９】
これらの更新は、少なくとも２つのシナリオでトリガされ得る。第１のシナリオは、ネットワーク２０が信号（たとえば、ＭＲＳ）の異なるセットを使用することを決定するときに発生する。第１のシナリオは、関連するワイヤレスデバイス５０に対して送信する送信ポイント３０に対して、ネットワーク２０が、より多くの同期信号が規定されて送信されることになると決定する場合に発生し得る。たとえば、時間Ｔ０から時間Ｔ１により狭いビームを送信するために、より多くの同期信号が規定される。
【０１１０】
より多くの同期信号が送信されるが、前の同期信号が依然として送信される場合、ネットワーク２０は、ワイヤレスデバイス５０を更新しても、またはワイヤレスデバイス５０を更新しなくてもよい。言い換えれば、ワイヤレスデバイス５０に対する同期ソースとしてサーブする送信ポイント３０が、追加のビームを使用するようにそのアンテナビームフォーミングを再設定し、追加のビームに対して追加の同期信号の送信を開始するが、前の同期信号も送信し続ける場合、ネットワーク２０は、追加の同期信号について必ずしもワイヤレスデバイス５０に告げなくてよい。
【０１１１】
ネットワーク２０は、所与の送信ポイント内の同期信号の数を低減することを決定することもできる。その場合、その決定が障害手順をトリガしないように、ワイヤレスデバイス５０に知らせることができる。第２のシナリオは、ワイヤレスデバイス５０がアイドルモードであり、同期信号の所与のセットとの同期を得るように設定されている場合に発生する。その場合、モビリティはデバイスベース、すなわち、自律的手順である。したがって、同期ソースと見なされることになる同期信号のセットの更新は、たとえば、受信された同期信号に関連する無線品質に基づいて、ワイヤレスデバイス５０によって自律的に行われ得る。同期信号が、ワイヤレスデバイス５０が検出することができるグルーピングの何らかの概念を符号化することも可能である。
【０１１２】
ネットワーク２０は、同期信号ごとの反復、同期信号の数、時間／周波数リソース、ビーム掃引が発生する周期性（すなわち、掃引間のＤＴＸ周期）など、既存の同期信号の設定を更新することを決定することもできる。
【０１１３】
いくつかの実施形態では、ネットワーク２０は、ワイヤレスデバイス５０の少なくともサブセットに対して何のデータもスケジュールされていないという事実に基づいて、同期信号が送信される周期性を増大することができる。この手法は、ダウンリンク制御チャネル、たとえば、物理ダウンリンク制御チャネル（ＰＤＣＣＨ）、またはパケットデータチャネル（ＰＤＣＨ）上で復調用参照信号（ＤＭＲＳ）または他の信号が、ＮＲの文脈で、それらの同期信号を搬送する場合に適用可能であり得るが、これは、この場合、ダウンリンクデータ送信がスケジュールされている限り、ワイヤレスデバイス５０は同期を得ることができるためである。
【０１１４】
いくつかの実施形態では、ネットワーク２０は、関連するキャリア周波数または周波数帯域に応じて、同期信号送信を適応させることができる。たとえば、ネットワーク２０は、相対的に言って、より低いキャリア周波数が使用されているときと比較して、より高いキャリア周波数が使用されているとき、より頻繁に同期信号を送信するように設定され得る。周波数または反復を増大するかどうか、またはいつ増大するかを判定するためにネットワークノードによって使用される規定された設定パラメータが存在し得る。場合によっては、ワイヤレスデバイス５０は、ネットワークがそのセットを変更していないときですら、同期信号の新たなセットで更新され得る。
【０１１５】
同期ソースは、モビリティの間に更新され得る。ワイヤレスデバイス５０が、ＭＲＳのセットによって規定されるなど、その同期信号セットを知っているとき、デバイス５０は、そのセットに属さない他のＭＲＳとこれらのＭＲＳを区別し、他のＭＲＳを近隣ＭＲＳとして扱うことができる。ネットワーク２０は、モビリティ実行手順の間に、ワイヤレスデバイス５０によって使用されることになる新たな同期参照として近隣ＭＲＳを使用することができる。ワイヤレスデバイス５０は、ＰＲＡＣＨプリアンブルを別の送信ポイント３０に送るための同期ソース参照としてネットワークによって指示されたＭＲＳを使用する。
【０１１６】
同期ソース、たとえば、ＭＲＳのセットの更新が発生し得る第２のシナリオは、ワイヤレスデバイス５０がモビリティ動作を実行するときである。ワイヤレスデバイス５０がＭＲＳ１、ＭＲＳ２、ＭＲＳ３として示されるＭＲＳのセットで設定されたと仮定すると、デバイス５０は、デバイスが、ＰＲＡＣＨプリアンブルが送信される前にソース同期信号または同期参照として１つまたは潜在的に複数の他のＭＲＳ、たとえば、ＭＲＳ４、ＭＲＳ５、ＭＲＳ６を使用するべきであることを指示するハンドオーバコマンドをそのソース送信ポイント３０から受信することができる。無線リソース制御（ＲＲＣ）接続再設定メッセージ内にあり得る、ハンドオーバコマンド内で単一のＭＲＳが指示される場合、デバイス５０は、新たな同期ソースとして使用されることになるＭＲＳのセットで新たなソースアクセスノードによってさらに更新され得る。さもなければ、複数のＭＲＳがハンドオーバコマンド内で与えられる場合、ワイヤレスデバイス５０がこれらを新たな同期ソースと仮定すべきであるという指示が存在し得る。
【０１１７】
本明細書で説明する様々な実施形態は、デバイス５０がそれらの同期ソースとして同期シーケンスの１つまたは複数のセットを使用することができる接続モードでワイヤレスデバイス５０によって使用することを目的とする。しかしながら、いくつかの実施形態は、アイドルモード、またはワイヤレスデバイス５０が初期アクセスおよびページング監視のために同期を使用する何らかの種類のスリーピング状態で使用され得る。言い換えれば、デバイス５０は、１つまたは複数の同期信号のカバレッジにわたって移動している場合があり、それらの同期信号を「再選択」と見なさないか、または同じシステム情報パラメータ、たとえば、ＰＲＡＣＨ設定を依然として適用可能と見なす。この場合の設定は、デバイス５０が接続されているときは専用シグナリングを介して、またはシステム情報を介してのいずれかで発生することになる。
【０１１８】
ウルトラリーン品質およびビームフォーミングに加えて、アイドルモード接続性と接続モード接続性との間に減結合が存在し得る。減結合は、「ＲＲＣ接続」ワイヤレスデバイス５０のみをサポートするようにいくつかの送信ポイント３０が設定されたことに関連し得る。すなわち、いくつかの送信ポイント３０は、初期アクセスまたはデバイスベースのモビリティのために主に使用されるべきではない。同様に、他の送信ポイント３０は、「ＲＲＣアイドル」ワイヤレスデバイス５０のみをサポートするように、または「ＲＲＣアイドル」ワイヤレスデバイスと「ＲＲＣ接続」ワイヤレスデバイスの両方をサポートするように設定されてよい。そのような設定は、これらのノードがこれらの異なる設定で送信することになる信号および識別子の種類に影響を及ぼすことになる。この文脈で「アイドル」は、ＲＲＣアイドル状態を指すが、その意味は、ワイヤレスデバイス５０がバッテリ節約のために最適化されるすべての種類のスリーピング状態にも拡張されるとして理解されるべきである。たとえば、ＬＴＥでは、アイドルは中断／再開などの手順を含む。
【０１１９】
説明したようにアイドルモード接続性と接続モード接続性との間の減結合を仮定すると、ワイヤレスデバイス５０が設定されていない限り、ＭＲＳのセットで設定されたワイヤレスデバイス５０は、この信号をアイドルモードで使用されるのと同じ同期信号と仮定すべきではない。言い換えれば、ワイヤレスデバイス５０は、ＭＲＳのセットを介して同期され、アイドルモードに移動する。その状態で、ワイヤレスデバイス５０は、上記で説明した技法のうちのいくつかに従って、同期を得るために新たな信号を検索すべきであり、この場合、新たな信号は１つまたは複数の信号であってよい。
【０１２０】
ＬＴＥでは、基地局は、同期ソースとして使用するために、シーケンス、たとえば、ＰＳＳおよびＳＳＳの対を全方向様式でブロードキャストする。しかしながら、送信ポイント３０が、ビームフォーミングにおいて送信ポイント３０によって使用される２つ以上の指向性ビームのうち、各指向性ビームに対応する同期信号を送信するように、送信ポイント３０はビーム固有ベースで２つ以上の同期信号を送信することが本明細書で企図される。任意の１つまたは複数のそのような同期信号は、したがって、送信ポイント３０に関して有効な同期シーケンスであり、ワイヤレスデバイス５０が十分に良好な受信状態でそれらの同期信号のうちの少なくとも１つを受信する限り、ワイヤレスデバイス５０は同期を維持する。
【０１２１】
上記で説明した技法のうちのいくつかの利点は、同期ソースとしての同期シーケンス／ＭＲＳの複数のセットの使用は、ワイヤレスデバイス５０がより強力なビームを検出するたびに、ワイヤレスデバイス５０はその同期ソースを更新しなくてよいことを意味することである。また、送信ポイント３０からの複数の同期信号の使用は、様々な実装が失われた同期を迅速に回復させることを可能にするため、その使用は、無線リンク問題の検出時にワイヤレスデバイス５０が講じる措置を簡素化する。
【０１２２】
図１２は、送信ポイント３０内で実装され得るような１つの例示的な機能モジュールまたは回路アーキテクチャを示す。示す実施形態は、少なくとも機能的に、送信モジュール１２０２と処理モジュール１２０４とを含む。処理モジュール１２０４は、各同期信号がアンテナビームフォーミングにおいて送信ポイント（３０）によって使用される２つ以上の指向性ビームのうちのそれぞれ１つの指向性ビームに対応するように、送信モジュール１２０２を介して、ビーム固有ベースで２つ以上の同期信号を送信ポイント３０から、送信するように設定された。同期信号は、送信ポイント３０との同期を得るかまたは維持するための、ワイヤレスデバイス５０による同期測定のための参照として働く。
【０１２３】
いくつかの実施形態では、処理モジュール１２０４は、２つ以上の同期信号を生成するように設定され、各同期信号は、２つ以上の同期信号のうちの他の１つまたは複数と区別可能である。さらに、処理モジュール１２０４は、各同期信号がアンテナビームフォーミングにおいて送信ポイント（３０）によって使用される２つ以上の指向性ビームのうちのそれぞれ１つの指向性ビームに対応するように、送信モジュール１２０２を介して、ビーム固有ベースで２つ以上の同期信号を送信ポイント３０から、送信するように設定された。同期信号は、送信ポイント３０との同期を得るかまたは維持するための、ワイヤレスデバイス５０による同期測定のための参照として働く。
【０１２４】
いくつかの実施形態では、処理モジュール１２０４は、２つ以上の同期信号を生成するように設定され、各同期信号は、送信ポイントに関連する同期信号のセットに属する。さらに、処理モジュール１２０４は、各同期信号がアンテナビームフォーミングにおいて送信ポイント（３０）によって使用される２つ以上の指向性ビームのうちのそれぞれ１つの指向性ビームに対応するように、送信モジュール１２０２を介して、ビーム固有ベースで２つ以上の同期信号を送信ポイント３０から、送信するように設定された。同期信号は、送信ポイント３０との同期を得るかまたは維持するための、ワイヤレスデバイス５０による同期測定のための参照として働く。
【０１２５】
図１３は、ワイヤレスデバイス５０において実装され得るような１つの例示的な機能モジュールまたは回路アーキテクチャを示す。示す実施形態は、少なくとも機能的に、送信ポイント３０によって使用される同期信号のセットを判定するように設定された処理モジュール１３０４とともに、ワイヤレス通信ネットワーク２０内で送信ポイント３０から信号を受信するように設定された受信モジュール１３０２を含む。いくつかの実施形態では、セット内の各同期信号は、アンテナビームフォーミングにおいて送信ポイント３０によって使用される異なる指向性ビームに関連付けられてよく、送信ポイント３０は２つ以上の指向性ビームを使用する。処理モジュール１３０４は、セット内の同期信号のうちの検出された同期信号との動的な同期または再同期に基づいて、２つ以上の指向性ビームに対応するカバレッジエリア間の移動に関連して、送信ポイント（３０）との同期を維持するようにさらに設定された。このようにして、ワイヤレスデバイスは、送信ポイント３０との同期を自律的に維持することができる。
【０１２６】
上記の例を念頭において、いくつかの企図される実施形態では、同期シーケンス／ＭＲＳの複数のセットの可用性は、ワイヤレスデバイス５０がそのソースとの同期を再度得るための様々な実装を可能にする。この手順は、ワイヤレスデバイス５０がダウンリンク制御チャネルを復号することができないときなど、ワイヤレスデバイス５０が無線リンク問題を検出するときにトリガされ得る。
【０１２７】
いくつかの実施形態では、再同期は、無線リンク問題の検出に応じて発生し得る。ワイヤレスデバイス５０が同期ソースとして使用されることになるＭＲＳのセット（または、同期信号の何らかの他のセット）で設定されていると仮定すると、ワイヤレスデバイス５０は、設定されたリソースを様々な方法で使用することができる。
【０１２８】
いくつかの実施形態では、ワイヤレスデバイス５０が、ＮＲの文脈で説明したＰＤＣＣＨおよびＰＤＣＨなど、ダウンリンク制御チャネルを復号することができないときにワイヤレスデバイス５０は、無線リンク問題を検出することができる。この検出は、ＬＴＥと同様の同期外れ（ｏｕｔ−ｏｆ−ｓｙｎｃ）事象の数をカウントすることによって行われ得る。ワイヤレスデバイス５０がＭＲＳ１、ＭＲＳ２、およびＭＲＳ３で設定されている例示的な事例では、これらの３つのＭＲＳうちのいずれかは、ネットワークの観点から同期ソースとして使用され得る。一実施形態では、一定数（Ｎ３１０−ｎｒ）の同期外れパケットに達すると、ワイヤレスデバイス５０は、設定されたＭＲＳ（ＭＲＳ１、ＭＲＳ２、またはＭＲＳ３）のうちの１つをランダムに選択して、その前のソースアクセスノードとの同期を再度得ることを試みる。別の実施形態では、ワイヤレスデバイス５０は、ワイヤレスデバイス５０が検出することができるＭＲＳの設定されたセットからの最初のセットを使用することができる。別の実施形態では、ワイヤレスデバイス５０は、ＭＲＳ１、ＭＲＳ２、およびＭＲＳ３から測定した最強のＭＲＳを選択し、同期パケットの数のカウントを開始する。この数が増大せず、同時に、同期外れの数が伸び続ける場合、ワイヤレスデバイス５０は、ＭＲＳ１、ＭＲＳ２、およびＭＲＳ３の中から第２の最強のＭＲＳを使用することができる。
【０１２９】
ワイヤレスデバイス５０は、複数のＭＲＳを検出／測定するオーバヘッドを回避するためにスマートな方法で複数のＭＲＳを使用することもできる。アナログビームフォーミング（ＢＦ）の場合に特に適用可能な一実施形態では、ＭＲＳは、時分割多重方法で異なるビーム内で送信される。この手法は、ワイヤレスデバイス５０が十分良好な方法でＭＲＳのうちの１つを検出する限り、ワイヤレスデバイス５０が同期のためにＭＲＳの残りを復号することを控えることを可能にする。ここで、「十分に良好な」は、しきい値によって規定され得る。言い換えれば、ワイヤレスデバイス５０は、１つの同期信号のみを使用することができ、これが一定のしきい値を超える限り、ワイヤレスデバイス５０は他の同期信号を使用しなくてよく、その結果、処理は節約され得る。他方で、ワイヤレスデバイス５０は、品質の劣化、移動などの場合、他の同期信号の検出を試みることを開始することができる。
【０１３０】
特に、開示する発明の修正および他の実施形態が前述の説明および関連する図面に提示される教示の利益を有する当業者の頭に浮かぶであろう。したがって、本発明は、開示する特定の実施形態に限定されず、修正および他の実施形態は本開示の範囲内に含まれることが意図されることを理解されたい。本明細書において特定の用語が採用される場合があるが、これらの用語は、単に一般的かつ記述的な意味で使用され、限定のためではない。
【０１３１】
いくつかの例では、ＲＲＣ  ＣＯＮＮＥＣＴＥＤ  ＮＲ  ＵＳは、これらの測定を使用して、ＲＲＭ測定およびＲＲＣ駆動モビリティを実行することができる。場合によっては、ＲＲＣ  ＣＯＮＮＥＣＴＥＤ  ＮＲ  ＵＥは、「セル」について知らされなくてよく、むしろ、ビームについてのみ知らされる必要がある。ＮＲにおけるＲＲＭ測定の場合、ＬＴＥ  ＵＥは、そのＰＳＳ／ＳＳＳに基づいてセルを検出する。これらの信号の重要な属性は、検出されることになる近隣セルがサービングセルの信号と同期していなくてもよいことである。次に、ＵＥは、獲得されたＰＳＳ／ＳＳＳから近隣セルＩＤ（ＰＣＩ）を自律的に検出し、すなわち、ネットワークは、近隣セルリストを提供しなくてよい。ＵＥは、一般に、（サービング周波数と同じであってよく、または異なってもよい）ターゲット周波数上で短い時間窓（たとえば、５ｍｓ）をサンプリングすることによって、近隣セルを検出して測定し、そのサンプル内でＰＳＳ／ＳＳＳ発生を（場合によってはオフラインで）検索する。各検出されたＰＳＳ／ＳＳＳに関して、ＵＥは、ＰＣＩに対応するＣＲＳを使用して測定を実行することもできる。その措置の結果は、近隣セルＩＤのリストおよび対応する測定サンプルである。ＮＲ  ＣＯＮＮＥＣＴＥＤモード動作は、実質的にビームフォーミングに依存し得る。ＵＥが（セルではなく）ビームを検出し、測定し、報告することを可能にするために、データ、および制御情報の他に、参照信号もビームフォーミングされる必要がある。１つのオプションは、セル固有の同期信号および参照信号ならびにビーム固有の同期信号および参照信号の両方を送ることであろう。後者が前者に依存する場合、ＵＥは、まずそのＰＳＳ／ＳＳＳのような信号に基づいて（ＬＴＥにおけるように）セルを検出しなければならず、その後、１つまたは複数の依存性ビーム参照信号（ＢＲＳ）の検出を試みることになる。しかしながら、ＢＲＳがビームフォーミングされる一方で、セル固有ＰＳＳ／ＳＳＳがビームフォーミングされない場合、受信電力における差異はＵＥに関して同期受信を難しいものにすることになる。代替として、ｅＮＢは、いくつかの異なるＢＲＳとともに、同じセル固有ＰＳＳ／ＳＳＳを繰り返し送ることができる。しかしながら、これは、オーバヘッドを増大し、明らかなタイミング参照としてＰＳＳ／ＳＳＳを使用することをより困難にすることになる。
【０１３２】
ビームを検出するためのＵＥ複雑性をＬＴＥで近隣セルを検出するのと等しく簡素に維持するために、セル固有同期信号（ＰＳＳ／ＳＳＳ）をビーム固有同期信号と置換することができる。これらの信号は、ＰＳＳ／ＳＳＳと同様の属性を有するべきあり、主な差異は、これらの信号がＣＯＮＮＥＣＴＥＤモードでのみ使用され、それらの時間／周波数割振りは、規格でハードコーディングされないことである。その名称が指示するように、ビーム固有参照信号はビームフォーミングされることが意図され、ネットワークは、サブフレーム内で複数の信号を（たとえば、ＯＦＤＭシンボルごとに１つ）スタガし（ｓｔａｇｇｅｒ）、異なる周波数割振りで送信するために、増大した割振りフレキシビリティを使用することができる。この同期信号によって明らかにされるＩＤは、セルＩＤではなく「ビームＩＤ」である。ＵＥは、これらの信号に関してＲＲＭ測定を実行することが可能であるはずであり、したがって、信号はモビリティ参照信号（ＭＲＳ）と示される。
【０１３３】
いくつかのＭＲＳがセクタ内でビームフォーミングされるかどうか、または単一のＭＲＳがセクタ全体をカバーするかどうかは、ネットワーク設定に左右され、ＵＥに対して透過的である。ＮＲ  ＣＯＮＮＥＣＴＥＤモードの場合、セル固有セル信号および参照信号は、ビーム固有モビリティ参照信号によって置換される。ＲＲＣ  ＣＯＮＮＥＣＴＥＤ  ＵＥは、これらの測定参照信号に基づいて個々のビームを検出して測定する。ＵＥは一般に、同じ送信ポイントから生じるいくつかのそのようなＭＲＳを検出することになるが、ＵＥがビームのグループを識別し、場合によっては、そのグループを「セル」として規定することを可能にすることに潜在的な利益が存在し得る。いくつかの例では、ＲＲＣ  ＣＯＮＮＥＣＴＥＤ  ＵＥは、ビームのグループを識別することができない。
【０１３４】
ＬＴＥでは、ｍｏｂｉｌｉｔｙＣｏｎｔｒｏｌＩｎｆｏを用いたＲＲＣＣｏｎｎｅｃｔｉｏｎＲｅｃｏｎｆｉｇｕｒａｔｉｏｎは、特に、ターゲットセルＩＤを含む。ハンドオーバを実行するために、ＵＥは、そのＰＣＩを搬送するＰＳＳ／ＳＳＳを検出し、その信号とダウンリンク同期を確立すべきである。ビームフォーミングにより、同期信号のカバレッジエリアは、セルのカバレッジエリアと比較して潜在的に小さくなる。各ビーム変更時のＲＲＣベースのモビリティは、回避されるべきである。１つの送信ポイントから生じるビームにわたる、同じネットワークノードの密に同期した送信ポイントのビーム間のモビリティは、いかなるＲＲＣ再設定も必要とすべきではない。これを達成するために、ネットワークは、サービングＭＲＳのセットでＵＥを設定する。ＵＥのＭＲＳ検索が「サービングＭＲＳセット」内に列挙された、いくつかのＭＲＳ  ＩＤを明らかにする場合、その検索は、タイミング参照として最強のＭＲＳ  ＩＤを選ぶ。送信されたＭＲＳが密に同期していることを条件に、ネットワークは、ＵＥがセット内のＭＲＳのうちのどれを使用するかを瞬時に知る必要はない。
【０１３５】
接続確立時に、かつＲＲＣレベルモビリティの間に、ネットワークは、密な同期で送信され、ＵＥがタイミング参照としていずれかを使用することができる「サービングＭＲＳのセット」でＮＲ  ＵＥを設定する。ＵＥは、たとえば、モビリティ事象および測定報告をトリガするために、ビームをそのサービングｅＮＢおよび近隣ｅＮＢと区別することができる。そのサービングＭＲＳセット内にないすべてのビームが近隣ＭＲＳであるように、サービングＭＲＳはその目的で利用され得る。ＭＲＳは、それに基づいてＵＥがネットワークとの同期を維持することができる唯一の信号ではない。ＰＳＳ／ＳＳＳのようなＭＲＳは、ＵＥが初期同期を獲得することを可能にするが、復調用参照信号（ＤＭ−ＲＳ）は、ＵＥがデータを受信しながら正確な同期を維持することを可能にする。これは、ＵＥが、たとえば、ＰＳＳ／ＳＳＳ発生の間であっても同期を均衡に保つためにＣＲＳを使用することができるＬＴＥと同様である。「サービングＭＲＳのセット」に加えて、ＵＥは、正確な時間／周波数同期を維持するためにそのＤＭＲＳを使用することができる。ＬＴＥでは、すべての物理チャネルは、（ＵＥがＰＳＳ／ＳＳＳから獲得した）セルＩＤでスクランブリングされる。このスクランブリングは、ＵＥがサービングセルの送信を近隣セルの送信と区別することができることを確実にする。さらに、異なるスクランブリングシーケンスは、近隣セルの干渉をランダム化する。ＭＲＳはビーム固有であるため、かつ「サービングＭＲＳセット」内の選ばれたＭＲＳはネットワークに対して透過的であるはずであるため、スクランブリングのためにＭＲＳ  ＩＤを使用することはできない。ＭＲＳは、ＵＥが専用ＲＲＣ設定に沿って動作すべきであるＣＯＮＮＥＣＴＥＤモードで動作することのみが意図される。したがって、ＲＲＣ  Ｃｏｎｎｅｃｔｅｄ  ＵＥによって使用されることになるスクランブリングＩＤは、同期信号から導出されるのではなく、専用シグナリングよって伝達され得る。いくつかの例では、ＲＲＣ  Ｃｏｎｎｅｃｔｅｄ  ＵＥによって使用されることになるスクランブリングは、専用ＲＲＣシグナリングによって伝達される。
【図１】
2019526968.tif 000003
【図２】
2019526968.tif 000004
【図３】
2019526968.tif 000005
【図４】
2019526968.tif 000006
【図５Ａ】
2019526968.tif 000007
【図５Ｂ】
2019526968.tif 000008
【図６】
2019526968.tif 000009
【図７】
2019526968.tif 000010
【図８】
2019526968.tif 000011
【図９】
2019526968.tif 000012
【図１０】
2019526968.tif 000013
【図１１】
2019526968.tif 000014
【図１２】
2019526968.tif 000015
【図１３】
2019526968.tif 000016
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
ワイヤレス通信ネットワーク（２０）内で動作するように設定された送信ポイント（３０）によって実装される方法（７００）であって、
各同期信号がアンテナビームフォーミングにおいて前記送信ポイント（３０）によって使用される２つ以上のビームのうちのそれぞれ１つのビームに対応するように、ビーム固有ベースで２つ以上の同期信号を前記送信ポイント（３０）から送信すること（７０４）
を含み、
前記同期信号が、前記送信ポイント（３０）との同期を得るかまたは維持するための、ワイヤレスデバイス（５０）による同期測定のための参照として働く、方法（７００）。
【請求項２】
前記ワイヤレスデバイスが同期信号のセットに属するとして前記２つ以上の同期信号を判定することを可能にするための情報を前記送信ポイント（３０）から送信することをさらに含む、請求項１に記載の方法（７００）。
【請求項３】
前記２つ以上の同期信号を生成すること（７０２）であって、含まれた情報または信号属性の点で前記２つ以上の同期信号を区別し、それにより、受信側ワイヤレスデバイス（５０）が前記２つ以上の同期信号を区別することを可能にすることを含む、生成すること（７０２）をさらに含む、請求項１または２に記載の方法（７００）。
【請求項４】
前記２つ以上の同期信号が、モビリティ参照信号（ＭＲＳ）のセットを含み、各ＭＲＳが、時間同期信号（ＴＳＳ）とビーム参照信号（ＢＲＳ）とを含み、各ＢＲＳが、ＭＲＳの前記セット内で一意であり、さらに、各ＭＲＳが、アンテナビームフォーミングにおいて前記送信ポイント（３０）によって使用される前記２つ以上のビームのうちの異なるビームに関連付けられている、請求項１から３のいずれか一項に記載の方法（７００）。
【請求項５】
前記送信ポイント（３０）と前記対応するビームのカバレッジエリア内で動作している１つまたは複数のワイヤレスデバイス（５０）との間の無線リンク状態、および
前記対応するビームの前記カバレッジエリア内で動作している、１つまたは複数のワイヤレスデバイス（５０）の監視された同期品質
のうちの少なくとも１つに応じて、前記対応するビームに対して少なくとも１つの同期信号の前記送信を適応させることをさらに含む、請求項１から４のいずれか一項に記載の方法（７００）。
【請求項６】
前記ビームのうちの１つまたは複数に対して、前記対応する同期信号を送信するためにどのダウンリンクリソースを使用するかを前記送信ポイント（３０）において動的に判定することをさらに含む、請求項１から５のいずれか一項に記載の方法（７００）。
【請求項７】
前記送信ポイント（３０）から支援情報を送信することをさらに含み、前記支援情報が、前記２つ以上の同期信号を識別するか、またはさもなければ、ワイヤレスデバイス（５０）が前記２つ以上の同期信号を検出または識別するために必要な情報を提供する、請求項１から６のいずれか一項に記載の方法（７００）。
【請求項８】
前記送信ポイント（３０）が各ビームに対して異なる同期信号を送信するように、アンテナビームフォーミングにおいて前記送信ポイント（３０）によって使用されるビームの数を動的に変更し、対応して、前記送信ポイント（３０）によって使用中の同期信号の数を変更することをさらに含む、請求項１から７のいずれか一項に記載の方法（７００）。
【請求項９】
ワイヤレス通信ネットワーク（２０）内で動作するように設定された送信ポイント（３０）であって、
トランシーバ回路（３６）と、
各同期信号がアンテナビームフォーミングにおいて前記送信ポイント（３０）によって使用される２つ以上のビームのうちのそれぞれ１つのビームに対応するように、前記トランシーバ回路（３６）を介して、ビーム固有ベースで２つ以上の同期信号を前記送信ポイント（３０）から送信する
ように動作可能な処理回路（３２）と
を含み、
前記同期信号が、前記送信ポイント（３０）との同期を得るかまたは維持するための、ワイヤレスデバイス（５０）による同期測定のための参照として働く、送信ポイント（３０）。
【請求項１０】
前記処理回路（３２）が、前記ワイヤレスデバイスが同期信号のセットに属するとして前記２つ以上の同期信号を判定することを可能にするための情報を前記送信ポイント（３０）から送信するように設定された、請求項９に記載の送信ポイント（３０）。
【請求項１１】
前記処理回路（３２）が、含まれた情報または信号属性の点で前記２つ以上の同期信号を区別し、それにより、受信側ワイヤレスデバイス（５０）が前記２つ以上の同期信号を区別することを可能にするように設定された、請求項９または１０に記載の送信ポイント（３０）。
【請求項１２】
前記２つ以上の同期信号が、モビリティ参照信号（ＭＲＳ）のセットを含み、各ＭＲＳが、時間同期信号（ＴＳＳ）とビーム参照信号（ＢＲＳ）とを含み、各ＢＲＳが、ＭＲＳの前記セット内で一意であり、さらに、各ＭＲＳが、アンテナビームフォーミングにおいて前記送信ポイント（３０）によって使用される前記２つ以上のビームのうちの異なるビームに関連付けられている、請求項９から１１のいずれか一項に記載の送信ポイント（３０）。
【請求項１３】
前記処理回路（３２）が、
前記送信ポイント（３０）と前記対応するビームのカバレッジエリア内で動作している１つまたは複数のワイヤレスデバイス（５０）との間の無線リンク状態、および
前記対応するビームの前記カバレッジエリア内で動作している、１つまたは複数のワイヤレスデバイス（５０）の監視された同期品質
のうちの少なくとも１つに応じて、前記対応するビームに対して少なくとも１つの同期信号の前記送信を適応させるように設定された、請求項９から１２のいずれか一項に記載の送信ポイント（３０）。
【請求項１４】
前記ビームのうちの１つまたは複数に対して、前記処理回路（３２）が、前記対応する同期信号を送信するためにどのダウンリンクリソースを使用するかを動的に判定するように設定された、請求項９から１３のいずれか一項に記載の送信ポイント（３０）。
【請求項１５】
前記処理回路（３２）が、前記送信ポイント（３０）が各ビームに対して異なる同期信号を送信するように、アンテナビームフォーミングにおいて前記送信ポイント（３０）によって使用されるビームの数を動的に変更し、対応して、前記送信ポイント（３０）によって使用される同期信号の数を変更するように設定された、請求項９から１４のいずれか一項に記載の送信ポイント（３０）。
【請求項１６】
ワイヤレス通信ネットワーク（２０）内で動作するように設定されたワイヤレスデバイス（５０）による動作の方法（９００）であって、
前記ワイヤレス通信ネットワーク（２０）内で送信ポイント（３０）によって使用される同期信号のセットを判定すること（９０２）と、
前記セット内の前記同期信号のうちの検出された同期信号に基づいて、２つ以上のビームに対応するカバレッジエリア間の移動に関連して、前記送信ポイント（３０）との同期を維持すること（９０４）と
を含む、方法（９００）。
【請求項１７】
同期信号の前記セットを前記判定すること（９０２）が、同期信号の前記セットを識別するか、または前記ワイヤレスデバイス（５０）が同期信号の前記セットを識別することを可能にする情報を提供する支援情報を受信することを含む、請求項１６に記載の方法（９００）。
【請求項１８】
前記送信ポイント（３０）が、前記ワイヤレス通信ネットワーク（２０）内の近隣の第１および第２の送信ポイント（３０−１、３０−２）のうちの第１の送信ポイントを含み、前記方法（９００）が、前記第２の送信ポイント（３０−２）に関連付けられていると判定されるセットを含む１つまたは複数の同期信号を検出することと、前記第２の送信ポイント（３０−２）から検出された１つまたは複数の同期信号に関して前記ワイヤレスデバイス（５０）によって判定された無線品質が前記第１の送信ポイント（３０−１）からのいずれかの検出された同期信号に関して前記ワイヤレスデバイス（５０）によって判定された無線品質よりも高いとの判定に基づいて、前記ワイヤレスデバイス（５０）に対する同期ソースとして前記第１の送信ポイント（３０−１）を使用することから前記ワイヤレスデバイス（５０）に対する前記同期ソースとして前記第２の送信ポイント（３０−２）を使用することに変更することとをさらに含む、請求項１６または１７に記載の方法（９００）。
【請求項１９】
前記ワイヤレス通信ネットワーク（２０）からの情報の受信に基づいて、前記対応するビームに対して各同期信号を送信するために使用されるダウンリンクリソースを判定することをさらに含む、請求項１６から１８のいずれか一項に記載の方法（９００）。
【請求項２０】
同期信号の前記セットが、モビリティ参照信号（ＭＲＳ）のセットを含み、各ＭＲＳが、時間同期信号（ＴＳＳ）とビーム参照信号（ＢＲＳ）とを含み、各ＢＲＳが、ＭＲＳの前記セット内で一意であり、さらに、各ＭＲＳが、アンテナビームフォーミングにおいて前記送信ポイント（３０）によって使用される前記２つ以上のビームのうちの異なるビームに関連付けられている、請求項１６から１９のいずれか一項に記載の方法（９００）。
【請求項２１】
前記送信ポイント（３０）との同期を前記維持すること（９０４）が、同期信号の前記セット内の前記同期信号のうちの２つ以上が前記ワイヤレスデバイス（５０）によって検出された場合、前記送信ポイント（３０）との同期を維持する際に使用するための、前記２つ以上の検出された同期信号のうちの最強のまたは最高品質の同期信号を選択することを含む、請求項１６から２０のいずれか一項に記載の方法（９００）。
【請求項２２】
ワイヤレス通信ネットワーク（２０）内で動作するように設定されたワイヤレスデバイス（５０）であって、
前記ワイヤレス通信ネットワーク（２０）内で送信ポイント（３０）から信号を受信するためのトランシーバ回路（５６）と、
前記トランシーバ回路（５６）に動作可能に関連付けられ、
送信ポイント（３０）によって使用される同期信号のセットを判定し、
前記セット内の前記同期信号のうちの検出された同期信号との動的な同期または再同期に基づいて、２つ以上のビームに対応するカバレッジエリア間の移動に関連して、前記送信ポイント（３０）との同期を維持する
ように設定された処理回路（５２）と
を含む、ワイヤレスデバイス（５０）。
【請求項２３】
前記処理回路（５２）が、同期信号の前記セットを識別するか、または前記ワイヤレスデバイス（５０）が同期信号の前記セットを識別することを可能にする情報を提供する支援情報の受信に基づいて同期信号の前記セットを判定するように設定された、請求項２２に記載のワイヤレスデバイス（５０）。
【請求項２４】
前記送信ポイント（３０）が、前記ワイヤレス通信ネットワーク（２０）内の近隣の第１および第２の送信ポイント（３０−１、３０−２）のうちの第１の送信ポイントを含み、前記処理回路（５２）が、前記第２の送信ポイント（３０−２）に関連付けられていると判定されるセットを含む１つまたは複数の同期信号を検出し、前記第２の送信ポイント（３０−２）から検出された１つまたは複数の同期信号に関して前記ワイヤレスデバイス（５０）によって判定された無線品質が前記第１の送信ポイント（３０−１）からのいずれかの検出された同期信号に関して前記ワイヤレスデバイス（５０）によって判定された無線品質よりも高いとの判定に基づいて、前記ワイヤレスデバイス（５０）に対する同期ソースとして前記第１の送信ポイント（３０−１）を使用することから前記ワイヤレスデバイス（５０）に対する前記同期ソースとして前記第２の送信ポイント（３０−２）を使用することに変更するように設定された、請求項２２または２３に記載のワイヤレスデバイス（５０）。
【請求項２５】
前記処理回路（５２）が、前記ワイヤレス通信ネットワーク（２０）からの情報の受信に基づいて、前記対応するビームに対して各同期信号を送信するために使用されるダウンリンクリソースを判定するように設定された、請求項２２から２４のいずれか一項に記載のワイヤレスデバイス（５０）。
【請求項２６】
同期信号の前記セットが、モビリティ参照信号（ＭＲＳ）のセットを含み、各ＭＲＳが、時間同期信号（ＴＳＳ）とビーム参照信号（ＢＲＳ）とを含み、各ＢＲＳが、ＭＲＳの前記セット内で一意であり、さらに、各ＭＲＳが、アンテナビームフォーミングにおいて前記送信ポイント（３０）によって使用される前記２つ以上のビームのうちの異なるビームに関連付けられている、請求項２２から２５のいずれか一項に記載のワイヤレスデバイス（５０）。
【請求項２７】
同期信号の前記セット内の前記同期信号のうちの２つ以上が前記ワイヤレスデバイス（５０）によって検出された場合、前記処理回路（５２）が、前記送信ポイント（３０）との同期を維持する際に使用するための、前記２つ以上の検出された同期信号のうちの最強のまたは最高品質の同期信号を選択するように設定された、請求項２２から２６のいずれか一項に記載のワイヤレスデバイス（５０）。
【請求項２８】
コンピュータ命令を含むコンピュータプログラム（４６）であって、前記コンピュータ命令が、ワイヤレス通信ネットワーク（２０）内で動作するように設定された送信ポイント（３０）の少なくとも１つの処理回路（３２、４２）上で実行されると、前記送信ポイント（３０）に、
各同期信号がアンテナビームフォーミングにおいて前記送信ポイント（３０）によって使用される２つ以上のビームのうちのそれぞれ１つのビームに対応するように、ビーム固有ベースで２つ以上の同期信号を前記送信ポイント（３０）から送信させ、
前記同期信号が、前記送信ポイント（３０）との同期を得るかまたは維持するための、ワイヤレスデバイス（５０）による同期測定のための参照として働く、コンピュータプログラム（４６）。
【請求項２９】
コンピュータ命令を含むコンピュータプログラム（６６）であって、前記コンピュータ命令が、ワイヤレス通信ネットワーク（２０）内で動作するように設定されたワイヤレスデバイス（５０）の少なくとも１つの処理回路（５２、６２）上で実行されると、前記ワイヤレスデバイス（５０）に、
送信ポイント（３０）によって使用される同期信号のセットを判定させ、
前記セット内の前記同期信号のうちの検出された同期信号との動的な同期または再同期に基づいて、２つ以上のビームに対応するカバレッジエリア間の移動に関連して、前記ワイヤレス通信ネットワーク（２０）との同期を維持させる、コンピュータプログラム（６６）。
【国際調査報告】
2019526968.tif 000017
2019526968.tif 000018
2019526968.tif 000019